(57)【要約】【課題】ゲームの時間配分を、ユーザにコントロールさせる。【解決手段】写真シール自動販売機の撮影用モニタ１６には、残り時間表示欄２０３に、撮影処理に割り当てられた残り時間が表示されている。また、延長可能回数表示欄２０１には、延長アイテム２０２−１乃至２０２−４が表示されている。撮影処理の残り時間がなくなりそうな場合、操作パネル上の延長ボタンが操作されると、残り時間表示欄２０３の残り時間に１５秒だけ加算され、延長アイテム２０２−４の表示が消去される。ユーザは、延長ボタンを操作することにより、延長アイテムの数と同一回数だけ、残り時間を延長することができる。撮影処理を終えたユーザは、撮影した画像に落書きを施すことができる。この場合も同様に、残り時間が足りなくなりそうなとき、延長ボタンを操作して、残り時間を延長することができる。【選択図】　　　図１２
2004048374.tif 000002
【特許請求の範囲】
【請求項１】
被写体を撮影した後、ユーザからの編集操作に基づいて編集した前記被写体の画像を印刷した写真シールを前記ユーザに提供する写真シール自動販売機において、
予め設定された制限時間の延長の指示を受け付ける第１の受付手段と、
前記第１の受付手段により、前記制限時間の延長の前記指示が受け付けられた場合、前記制限時間を延長させる延長手段と
を備えることを特徴とする写真シール自動販売機。
【請求項２】
前記制限時間は、前記被写体の撮影の制限時間を含む
ことを特徴とする請求項１に記載の写真シール自動販売機。
【請求項３】
前記制限時間は、前記ユーザからの前記編集操作の受け付けの制限時間を含む
ことを特徴とする請求項１または２に記載の写真シール自動販売機。
【請求項４】
前記第１の受付手段は、写真シール自動販売機を構成する筐体上に配置されたボタンを含む
ことを特徴とする請求項１乃至３のいずれかに記載の写真シール自動販売機。
【請求項５】
前記第１の受付手段は、
前記ユーザから、前記制限時間の延長の操作を受け付けるボタンを表示する表示手段と、
前記表示手段により表示された前記ボタンを選択する操作を受け付ける第２の受付手段と
を備えることを特徴とする請求項１乃至３のいずれかに記載の写真シール自動販売機。
【請求項６】
前記第２の受付手段により、前記ボタンを選択する操作が受け付けられた場合、前記表示手段は、前記制限時間を延長するか否かの確認の案内を表示し、
前記第２の受付手段は、前記制限時間を延長するか否かの確認の操作を受け付ける
ことを特徴とする請求項５に記載の写真シール自動販売機。
【請求項７】
前記制限時間が延長された回数が、予め設定された所定の値に達した場合、前記延長手段は、前記第１の受付手段により、前記制限時間の延長の前記指示が受け付けられても、前記制限時間を延長させない
ことを特徴とする請求項１乃至６のいずれかに記載の写真シール自動販売機。
【請求項８】
予め設定された前記制限時間と、所定の処理が実行された時間の差が、予め設定された所定の長さ以上である場合、前記延長手段は、前記第１の受付手段により前記制限時間の延長の前記指示が受け付けられても、前記制限時間を延長させない
ことを特徴とする請求項１乃至７のいずれかに記載の写真シール自動販売機。
【請求項９】
前記所定の処理は、前記被写体の撮影を含む
ことを特徴とする請求項８に記載の写真シール自動販売機。
【請求項１０】
前記所定の処理は、前記ユーザからの前記編集操作の受け付けを含む
ことを特徴とする請求項８または９に記載の写真シール自動販売機。
【請求項１１】
前記ユーザからの前記編集操作に基づいて、前記被写体の画像を編集する編集手段と、
前記編集手段により編集された前記画像を、前記写真シールに印刷する印刷手段と
をさらに備えることを特徴とする請求項１乃至１０のいずれかに記載の写真シール自動販売機。
【請求項１２】
前記写真シールであって、装着された前記写真シールを識別するための識別情報を読み取る読み取り手段と、
前記読み取り手段による読み取り結果に基づいて、前記写真シールへの印刷を制御する制御手段と
をさらに備えることを特徴とする請求項１１に記載の写真シール自動販売機。
【請求項１３】
前記印刷手段により画像が印刷される前記写真シールを格納するとともに、前記読み取り手段により読み取られる前記識別情報を保持することを特徴とする請求項１２に記載の写真シール自動販売機により使用される写真シールユニット。
【請求項１４】
写真シール自動販売機により画像が印刷された写真シールであって、
請求項１乃至１２のいずれかに記載の写真シール自動販売機により画像が印刷された
ことを特徴とする写真シール。
【請求項１５】
被写体を撮影した後、ユーザからの編集操作に基づいて編集した前記被写体の画像を印刷した写真シールを前記ユーザに提供する写真シール自動販売機の写真シール販売方法において、
予め設定された制限時間の延長の指示を受け付ける受付ステップと、
前記受付ステップの処理により、前記制限時間の延長の前記指示が受け付けられた場合、前記制限時間を延長させる延長ステップと
を含むことを特徴とする写真シール販売方法。
【請求項１６】
被写体を撮影した後、ユーザからの編集操作に基づいて編集した前記被写体の画像を印刷した写真シールを前記ユーザに提供する写真シール自動販売機において、
予め設定された前記被写体の撮影回数の追加の指示を受け付ける第１の受付手段と、
予め設定された前記編集操作の受け付けの制限時間の延長の指示を受け付ける第２の受付手段と、
前記第１の受付手段により、前記被写体の撮影回数の追加の前記指示が受け付けられた場合、前記被写体の撮影回数を追加させると共に、前記第２の受付手段により、前記編集操作の受け付けの前記制限時間の延長の前記指示が受け付けられた場合、前記編集操作の受け付けの前記制限時間を延長させる延長手段と
を備えることを特徴とする写真シール自動販売機。
【請求項１７】
被写体を撮影した後、ユーザからの編集操作に基づいて編集した前記被写体の画像を印刷した写真シールを前記ユーザに提供する写真シール自動販売機の写真シール販売方法において、
予め設定された前記被写体の撮影回数の追加の指示を受け付ける第１の受付ステップと、
予め設定された前記編集操作の受け付けの制限時間の延長の指示を受け付ける第２の受付ステップと、
前記第１の受付ステップの処理により、前記被写体の撮影回数の追加の前記指示が受け付けられた場合、前記被写体の撮影回数を追加させると共に、前記第２の受付ステップの処理により、前記編集操作の受け付けの前記制限時間の延長の前記指示が受け付けられた場合、前記編集操作の受け付けの前記制限時間を延長させる延長ステップと
を含むことを特徴とする写真シール販売方法。
【発明の詳細な説明】
【０００１】
【発明の属する技術分野】
本発明は、写真シール自動販売機および方法、写真シール、並びに写真シールユニットに関し、特に、遊戯全体における種々の処理の時間配分を、ユーザの望みに従って制御することができるようにした写真シール自動販売機および方法、写真シール、並びに写真シールユニットに関する。
【０００２】
【従来の技術】
従来、ユーザの画像を撮影し、これを予め用意されたフレーム画像と合成してシール紙などに印刷して提供する写真シール自動販売機（例えば、プリントクラブ（商標））が知られている。そして、この写真シール自動販売機の中には、ユーザが、撮影した画像上に付属のペン（以下、タッチペンと称する）で任意の文字や図形などを書き込む（編集する）ことができるようになされているものも存在する。
【０００３】
ユーザは、このような写真シール自動販売機でゲームを行う場合、まず、代金を支払い、次に自らを所定の回数だけ撮影し、次に撮影した画像に落書き（編集）を施し、最後に落書きされた画像が印刷されたシール紙を受け取る。
【０００４】
写真シール自動販売機は、編集処理を行う際、色、太さ、および模様等が異なる複数のペンをディスプレイに表示して、これらの中から、ユーザに所望するペンを選択させる。そして、ディスプレイに表示した撮影画像上に、タッチペンによる落書きの入力を受け付ける。写真シール自動販売機は、受け付けた入力の軌跡に従って、ユーザにより選択されたペンに対応する線を撮影画像上に描画する。
【０００５】
また、写真シール自動販売機は、編集処理を行う際、色、形、模様等が異なる複数のスタンプをディスプレイに表示して、これらの中から、ユーザに所望するスタンプを選択させる。そして、ディスプレイに表示した撮影画像上に、タッチペンによるスタンプの貼り付け位置の入力を受け付ける。写真シール自動販売機は、受け付けた入力位置に従って、ユーザにより選択されたスタンプを撮影画像上に描画する。さらに、タッチペンの軌跡上に、所定の間隔で異なるスタンプを描画する機能（コロコロスタンプ）も一般的である。
【０００６】
また、写真シール自動販売機は、ディスプレイに、落書き消去用のボタンを表示しており、ユーザが描画された線やスタンプが気に入らない場合、落書き消去用のボタンにタッチペンでタッチした後、消去したい部分の落書きに触れることにより、消しゴムで絵を消すような感覚で、描画された落書きを消去することができる。
【０００７】
ところで、このような従来の写真シール自動販売機において、１回のゲーム（１ユーザが、最初に代金を支払って遊戯を開始してから、画像が印刷されたシール紙を受け取るまで）における、撮影時間、および編集時間（ユーザからの落書きを受け付ける時間）の時間配分は、以下のような３種類のタイプに分類することができる。
【０００８】
１つめは、撮影時間、および編集時間は、予め設定されており、変更することはできないタイプである。２つめは、撮影時間、および編集時間は、写真シール自動販売機の管理者のみが変更可能なタイプである。３つめは、ユーザが、代金を支払った直後に、撮影時間を長く編集時間を短く設定するか、撮影時間を短く編集時間を長く設定するかのどちらかを選択することができるタイプである。なお、３つめのタイプにおいては、撮影時間を長く編集時間を短く設定する場合も、撮影時間を短く編集時間を長く設定する場合も、撮影時間と編集時間の合計時間は同一である。
【０００９】
【発明が解決しようとする課題】
しかしながら、従来の写真シール自動販売機においては、例えば初めてゲームを行うユーザのような、写真シール自動販売機の操作手順に慣れていないユーザは、１つ１つの操作に時間を要するにもかかわらず、写真シール自動販売機は、所定の時間が経過すると、次の処理を行うようにユーザに案内を提示するため、ユーザに充分に操作手順を理解させて、遊戯を進行させることができないという課題があった。
【００１０】
また、ユーザは、制限時間を気にして遊戯を行うことになるため、写真シール自動販売機に備えられた機能（例えば、多彩な落書き機能）を、充分に活用して遊戯をすることができない。結果的に、ユーザに、撮影結果や編集結果に満足させることができないことがあるという課題があった。
【００１１】
また、２人以上の団体のユーザが写真シール自動販売機で遊戯を行う場合、あるユーザは、撮影結果に満足していても、他のユーザが撮影結果に満足していなかったり、あるユーザは、編集結果に満足していても、他のユーザが編集結果に満足していなかったりすることがあった。
【００１２】
また、ユーザが、代金を支払った直後に、撮影時間を長く編集時間を短く設定するか、撮影時間を短く編集時間を長く設定するかのどちらかを選択することができるタイプの場合、当初、撮影時間を長く編集時間を短く設定するほうを選択したユーザは、後に、撮影時間を短く編集時間を長く設定したいと思っても、そうすることはできない。同様に、当初、撮影時間を短く編集時間を長く設定するほうを選択したユーザは、後に、撮影時間を長く編集時間を短く設定したいと思っても、そのような時間の制御はできない。
【００１３】
写真シール自動販売機の主なユーザの年齢層の１つとして年少者が挙げられる。年少者の場合、当初、撮影時間を長く編集時間を短く設定するほうを選択した後に、撮影時間を短く編集時間を長く設定したいと思ったり、当初、撮影時間を短く編集時間を長く設定するほうを選択した後に、撮影時間を長く編集時間を短く設定したいと思ったりすることが頻繁にある。
【００１４】
しかしながら、上記したように、従来の写真シール自動販売機は、このような時間の制御はできなかった。
【００１５】
本発明はこのような状況に鑑みてなされたものであり、遊戯全体における種々の処理の時間配分を、ユーザの望みに従って制御することができるようにすることを目的とする。
【００１６】
【課題を解決するための手段】
本発明の第１の写真シール自動販売機は、予め設定された制限時間の延長の指示を受け付ける第１の受付手段と、第１の受付手段により、制限時間の延長の指示が受け付けられた場合、制限時間を延長させる延長手段とを備えることを特徴とする。
【００１７】
本発明の写真シール自動販売機においては、第１の受付手段により、制限時間の延長の指示が受け付けられた場合、延長手段により、制限時間が延長される。
【００１８】
従って、ゲーム中の各処理の制限時間を、ユーザの所望する長さに設定することができる。
【００１９】
なお、写真シール自動販売機は、例えば、被写体の撮影、編集操作の受け付けにおいて、ユーザからの制限時間の延長を受け付けることができる。また、それ以外でも、ユーザからの操作を受け付ける全ての処理について、制限時間の延長を受け付けるようにすることができる。
【００２０】
この第１の受付手段は、例えば、撮影空間および編集空間に設置されたボタンにより構成され、延長手段は、例えば、ＣＰＵにより構成される。
【００２１】
前記制限時間は、前記被写体の撮影の制限時間を含むようにすることができる。
【００２２】
これにより、ユーザは、撮影処理の制限時間を所望する長さに設定することができる。
【００２３】
前記制限時間は、前記ユーザからの前記編集操作の受け付けの制限時間を含むようにすることができる。
【００２４】
これにより、ユーザは、画像に編集操作を入力するための制限時間を所望する長さに設定することができる。
【００２５】
前記第１の受付手段には、写真シール自動販売機を構成する筐体上に配置されたボタンを含むようにさせることができる。
【００２６】
例えば、第１の受付手段に含まれるボタンは、撮影手順などを説明する撮影用モニタの近傍に配置することができる。また、第１の受付手段に含まれるボタンは、ユーザが撮影装置により自らを撮影する際にポーズを取る位置に配置することができる。また、第１の受付手段に含まれるボタンは、例えば、ユーザが撮影した画像を編集する編集用モニタの近傍に配置することができる。
【００２７】
このように、第１の受付手段に含まれるボタンをユーザの手の届く範囲に設置することにより、操作性を向上させることができる。なお、第１の受付手段に含まれるボタンは、複数個設置するようにしても良い。
【００２８】
前記第１の受付手段には、前記ユーザから、前記制限時間の延長の操作を受け付けるボタンを表示する表示手段と、表示手段により表示されたボタンを選択する操作を受け付ける第２の受付手段とを備えるようにさせることができる。
【００２９】
これにより、ユーザは、表示手段の表示に従って、第２の受付手段を操作して、制限時間を延長することができる。
【００３０】
この表示手段には、撮影手順の案内、または編集操作を受け付ける画面なども表示されるため、ユーザは、表示手段に表示される画面のみを注目すれば、撮影手順の案内（または編集操作を受け付ける画面）、および制限時間の延長の両方を行うことができる。
【００３１】
表示手段は、例えば、撮影の案内を表示する撮影用モニタ、または編集用の画面を表示する編集用モニタにより構成され、受付手段は、例えば、操作パネル、またはタッチパネルとタッチペンにより構成される。
【００３２】
前記第２の受付手段により、前記ボタンを選択する操作が受け付けられた場合、前記表示手段には、前記制限時間を延長するか否かの確認の案内を表示するようにさせ、前記第２の受付手段には、前記制限時間を延長するか否かの確認の操作を受け付けるようにさせることができる。
【００３３】
これにより、ユーザの誤操作による、制限時間の延長を低減させることができる。
【００３４】
前記制限時間が延長された回数が、予め設定された所定の値に達した場合、前記延長手段には、前記第１の受付手段により、前記制限時間の延長の前記指示が受け付けられても、前記制限時間を延長させないようにさせることができる。
【００３５】
これにより、制限時間が無制限に延長させることを防止することができる。
【００３６】
予め設定された前記制限時間と、所定の処理が実行された時間の差が、予め設定された所定の長さ以上である場合、前記延長手段には、前記第１の受付手段により前記制限時間の延長の前記指示が受け付けられても、前記制限時間を延長させないようにさせることができる。
【００３７】
これにより、実行中の処理の残り時間が所定の時間未満になった場合にのみ、制限時間を延長させることができるようになる。
【００３８】
前記所定の処理は、前記被写体の撮影を含むようにすることができる。
【００３９】
これにより、撮影処理の残り時間が所定の時間未満になった場合にのみ、制限時間を延長させることができるようになる。
【００４０】
前記所定の処理は、前記ユーザからの前記編集操作の受け付けを含むようにすることができる。
【００４１】
これにより、ユーザからの編集操作の受け付けの残り時間が所定の時間未満になった場合にのみ、制限時間を延長させることができるようになる。
【００４２】
前記ユーザからの前記編集操作に基づいて、前記被写体の画像を編集する編集手段と、編集手段により編集された前記画像を、前記写真シールに印刷する印刷手段とをさらに設けるようにすることができる。
【００４３】
これにより、編集された画像が印刷された写真シールをユーザに提供することができる。
【００４４】
編集手段は、例えば、ＣＰＵにより構成され、印刷手段は、例えば、プリンタにより構成される。
【００４５】
前記所定の印刷媒体であって、装着された前記写真シールを識別するための識別情報を読み取る読み取り手段と、読み取り手段による読み取り結果に基づいて、前記写真シールへの印刷を制御する制御手段とをさらに設けるようにすることができる。
【００４６】
これにより、本発明の写真シール自動販売機に対して生産された写真シールのみが使用可能となり、いわゆる純正品以外のものが使用されることを抑制することができる。
【００４７】
読み取り手段は、例えば、ＩＣタグ（制御タグ）リーダライタにより構成され、制御手段は、例えば、ＣＰＵにより構成される。
【００４８】
本発明の写真シールユニットは、印刷手段により画像が印刷される写真シールを格納するとともに、読み取り手段により読み取られる識別情報を保持することを特徴とする。
【００４９】
識別情報は、例えば、ＩＣタグ（制御タグ）、ＩＣカード等のメモリにより構成され、ユニット識別情報としての固有のＩＤを記憶する。
【００５０】
このように、識別情報が認証されたときにのみ写真シールユニットが使用可能とされることにより、本発明の写真シール自動販売機に対して生産されたユニットのみが使用可能となり、いわゆる純正品以外のものが使用されることを抑制することができる。また、写真シールユニットにバーコードなどが付されている場合、そのバーコードにより、純正品であるか否かを判断させるようにしてもよい。
【００５１】
本発明の写真シールは、上述した写真シール自動販売機により画像が印刷された写真シールであることを特徴とする。
【００５２】
本発明の第１の写真シール販売方法は、予め設定された制限時間の延長の指示を受け付ける受付ステップと、受付ステップの処理により、制限時間の延長の指示が受け付けられた場合、制限時間を延長させる延長ステップとを含むことを特徴とする。
【００５３】
本発明の第１の写真シール販売方法においては、受付ステップの処理により、制限時間の延長の指示が受け付けられた場合、延長ステップにより、制限時間が延長される。
【００５４】
この受付ステップは、例えば、撮影処理の制限時間を延長するための延長ボタンからの操作信号を受け付けるＣＰＵによる受付ステップ、または編集処理の制限時間を延長するための延長ボタンからの操作信号を受け付けるＣＰＵによる受付ステップにより構成され、延長ステップは、例えば、撮影処理、または編集処理の制限時間を延長するように制御するＣＰＵによる延長ステップにより構成される。
【００５５】
本発明の第２の写真シール自動販売機は、予め設定された被写体の撮影回数の追加の指示を受け付ける第１の受付手段と、予め設定された編集操作の受け付けの制限時間の延長の指示を受け付ける第２の受付手段と、第１の受付手段により、被写体の撮影回数の追加の指示が受け付けられた場合、被写体の撮影回数を追加させると共に、第２の受付手段により、編集操作の受け付けの制限時間の延長の指示が受け付けられた場合、編集操作の受け付けの制限時間を延長させる延長手段とを備えることを特徴とする。
【００５６】
本発明の第２の写真シール自動販売機においては、第１の受付手段により、被写体の撮影回数の追加の指示が受け付けられた場合、延長手段により、被写体の撮影回数が追加され、第２の受付手段により、編集操作の受け付けの制限時間の延長の指示が受け付けられた場合、延長手段により、編集操作の受け付けの制限時間が延長される。
【００５７】
従って、ゲーム中の撮影回数をユーザの所望する回数に設定し、編集処理の制限時間を、ユーザの所望する長さに設定することができる。
【００５８】
この第１の受付手段は、例えば、撮影空間に設置されたボタンにより構成され、第２の受付手段は、例えば、編集空間に設置されたボタンにより構成され、延長手段は、例えば、ＣＰＵにより構成される。
【００５９】
本発明の第２の写真シール販売方法は、予め設定された被写体の撮影回数の追加の指示を受け付ける第１の受付ステップと、予め設定された編集操作の受け付けの制限時間の延長の指示を受け付ける第２の受付ステップと、第１の受付ステップの処理により、被写体の撮影回数の追加の指示が受け付けられた場合、被写体の撮影回数を追加させると共に、第２の受付ステップの処理により、編集操作の受け付けの制限時間の延長の指示が受け付けられた場合、編集操作の受け付けの制限時間を延長させる延長ステップとを含むことを特徴とする。
【００６０】
本発明の第２の写真シール販売方法においては、第１の受付ステップの処理により、被写体の撮影回数の追加の指示が受け付けられた場合、延長ステップにより、被写体の撮影回数が追加され、また、第２の受付ステップの処理により、編集操作の受け付けの制限時間の延長の指示が受け付けられた場合、延長ステップにより、編集操作の受け付けの制限時間が延長される。
【００６１】
この第１の受付ステップは、例えば、撮影回数を追加するための延長ボタンからの操作信号を受け付けるＣＰＵによる第１の受付ステップにより構成され、第２の受付ステップは、例えば、編集処理の制限時間を延長するための延長ボタンからの操作信号を受け付けるＣＰＵによる第２の受付ステップにより構成され、延長ステップは、例えば、撮影回数を追加するように制御し、編集処理の制限時間を延長するように制御するＣＰＵによる延長ステップにより構成される。
【００６２】
【発明の実施の形態】
図１は、本発明を適用した写真シール自動販売機１の構成例を示す斜視図である。
【００６３】
写真シール自動販売機１の垂直な面１Ａには、保持部材１３を介して撮影装置１２が面１Ａから突出した状態で設けられている。撮影装置１２は、面１Ａに垂直方向に配設されているレール１４上を、所定の範囲内で上下方向に移動可能とされている。また、撮影装置１２は、保持部材１３との接合部を中心として、垂直平面内で上下方向に首振り自在に保持部材１３に取り付けられている。
【００６４】
従って、写真シール自動販売機１を利用するユーザは、撮影装置１２をレール１４に従って好みの高さに調節し、また、撮影装置１２の正面（ＣＣＤ（Ｃｈａｒｇｅ　Ｃｏｕｐｌｅｄ　Ｄｅｖｉｃｅ）２１および画像表示部２２が設けられている面）を好みの角度に調節し、撮影を行うことができる。
【００６５】
撮影装置１２には、ＣＣＤ２１が設けられ、ＣＣＤ２１の下には画像表示部２２が設けられている。ＣＣＤ２１により被写体の画像が取り込まれ、取り込まれている画像（動画像）がリアルタイムで画像表示部２２に表示される。また、所定の撮影タイミングにおいて、ＣＣＤ２１による撮影が行われ、ユーザ（被写体）の画像が静止画像として写真シール自動販売機１に保存される。画像表示部２２がＣＣＤ２１の近傍に設けられているため、ユーザは、ＣＣＤ２１に視線を向けた状態で、画像表示部２２に表示される自分自身の画像を確認しながら、撮影を行うことができる。
【００６６】
撮影装置１２（レール１４）の左側にはフラッシュ照射部１５−１が設けられており、また、右側にはフラッシュ照射部１５−２が設けられている。フラッシュ照射部１５−１，１５−２は、撮影装置１２（ＣＣＤ２１）により撮影されるタイミングで、写真シール自動販売機１の内部に設けられている照明装置から出射されるフラッシュ光を透過し、被写体を照射する。
【００６７】
フラッシュ照射部１５−２の下には、ＬＣＤ（Ｌｉｑｕｉｄ　Ｃｒｙｓｔａｌ　Ｄｉｓｐｌａｙ）、ＣＲＴ（Ｃａｔｈｏｄｅ−Ｒａｙ　Ｔｕｄｅ）などにより構成される撮影用モニタ１６が設けられている。撮影用モニタ１６はまた、プロジェクタとスクリーンにより構成されるようにしても良い。
【００６８】
撮影用モニタ１６には、撮影処理の行程段階（進行段階）に応じて、撮影方法などを案内する各種のメッセージなどが表示される。また、撮影用モニタ１６には、撮影された画像が表示されるため、ユーザは、表示される撮影画像の中から、編集（落書き）対象の画像を選択することができる。後述するように、ユーザは、撮影を終了した後、写真シール自動販売機１の裏側に移動し、撮影された画像に対して好みの文字や図形などを入力し、編集を施すことができる。
【００６９】
撮影用モニタ１６の下には、面１Ａから突出した状態で操作部１１が設けられている。操作部１１の上面１１Ａは若干斜め上方を向いた状態で設けられており、そこに操作パネル１７が設けられている。ユーザは、操作パネル１７に設けられている各種のボタンにより、撮影処理を進行する。
【００７０】
面１Ａの左下には、硬貨投入口１８が設けられている。ユーザは、写真シール自動販売機１を利用して撮影するとき、所定の代金を硬貨投入口１８に投入する。
【００７１】
写真シール自動販売機１の左側面１Ｂの下方には、シール取り出し口３１が設けられている。撮影され、編集等が施された画像が所定の数だけ、所定の大きさでシール紙に印刷され、得られたシール紙がシール取り出し口３１から排出される。
【００７２】
図２は、写真シール自動販売機１の面１Ａの反対側に相当する、面１Ｃ側の構成例を示す斜視図である。なお、以下において、適宜、面１Ａが設けられている面を写真シール自動販売機１の正面として説明し、面１Ａの反対側に相当する、面１Ｃが設けられて面を写真シール自動販売機１の背面として説明する。
【００７３】
写真シール自動販売機１の面１Ｃには、編集用モニタ４１−１および４１−２が水平方向に並置されている。編集用モニタ４１−１の下には収納部４２−１が設けられ、そこに、編集用モニタ４１−１に直接押し当てることで画像の編集などを行うためのタッチペン４３−１が収納される。同様に、編集用モニタ４１−２の下には収納部４２−２が設けられ、そこに、編集用モニタ４１−２に直接押し当てることで画像の編集などを行うためのタッチペン４３−２が収納される。なお、以下の説明において、編集用モニタ４１−１および４１−２を、個々に区別する必要がない場合、まとめて編集用モニタ４１と称する。また、以下の説明において、タッチペン４３−１および４３−２を、個々に区別する必要がない場合、まとめてタッチペン４３と称する。
【００７４】
撮影装置１２により撮影され、編集対象の画像として選択された画像は、ユーザが撮影処理を終了した後、編集用モニタ４１−１および４１−２にそれぞれ表示される。編集用モニタ４１−１および４１−２には、タッチパネルが積層されており、ユーザは、表示されている画像に対し、任意の文字や図形などを、タッチペン４３−１および４３−２を利用して書き込む（入力する）ことができる。
【００７５】
編集用モニタ４１−１および４１−２には、編集対象の画像とともに、様々な編集ツールを選択するためのボタンが表示される。そして、そのボタンが操作され、画像の編集が行われたとき、編集用モニタ４１−１および４１−２には、入力に応じて生成された編集済みの画像が表示される。
【００７６】
タッチペン４３−１および４３−２は、編集用モニタ４１−１および４１−２に積層されるタッチパネルの位置検出方式（例えば、抵抗膜式、超音波式など）に応じて構成される。
【００７７】
また、面１Ｃの中央には、延長ボタン４４が設置されている。ユーザは、画像の編集中に（落書き中に）、編集時間として予め設定された制限時間が経過しそうな場合、延長ボタン４４を押下することにより、制限時間を延長することができる。なお、詳細な説明は後述する。延長ボタン４４が押下された場合、延長ボタン４４は制御装置９１（図６）に対して、延長ボタン４４が押下された旨を通知するための操作信号を送信する。
【００７８】
また、面１Ｃには、硬貨投入口４５が設置されている。ユーザは、写真シール自動販売機１の使用時間を延長するとき、所定の代金を硬貨投入口４５に投入する。
【００７９】
図３は、写真シール自動販売機１の配置の例を示す図である。
【００８０】
写真シール自動販売機１の正面（面１Ａ）に対向する位置には、所定距離だけ離間して背景パネル６１が設置され、ユーザは、写真シール自動販売機１と背景パネル６１の間を撮影空間６２として撮影を行う。なお、撮影空間６２には、写真シール自動販売機１の上面と背景パネル６１により支持される天井部材６３、および、撮影空間６２の内部が外側から見えないように、カーテン６４−１と側面パネル６５−１が設けられている。
【００８１】
撮影を終了した後に移動し、画像の編集を行う空間として、面１Ｃに臨む位置に編集空間７３が設けられている。編集空間７３には、その内部が外部から覗かれるのを防止すべく、カーテンフレーム７１にカーテン７２−１が取り付けられている。カーテン７２−１は、面１Ｂと略同一平面上に設けられ、カーテン７２−２は、面１Ｃに対向して、所定の距離だけ離間して設けられる。なお、この例においては、カーテンフレーム７１は、天井部材６３とほぼ同一平面上に設けられている。
【００８２】
図４は、写真シール自動販売機１の配置の例を、その上方から示す図である。
【００８３】
図４に示されるように、写真シール自動販売機１の右側面１Ｄ側にも、面１Ｂ側と同様に、撮影空間６２の内部が外側から覗かれることを防止すべく、カーテン６４−２と側面パネル６５−２が設けられている。撮影空間６２の内部（背景パネル６１、天井部材６３、側面パネル６５−１，６５−２等の内側）は、撮影装置１２により撮影された画像から、ユーザの画像のみをいわゆるクロマキ処理により抽出できるように、例えば、白色や青色などの単一色の面とされる。
【００８４】
図４を参照し、撮影を開始してからシール紙を受け取るまでのユーザの移動について説明する。
【００８５】
ユーザは、写真シール自動販売機１を利用するとき、白抜き矢印Ａ１で示されるように撮影空間６２に入場し、撮影処理を行う。従って、撮影空間６２が使用されているとき、写真シール自動販売機１を利用することを所望するユーザは、例えば、側面パネル６１の前方の順番待ち空間７４において、撮影空間６２が空くのを待機することになる。
【００８６】
所定の数の画像を編集対象の画像として選択し、撮影を終えたとき、ユーザは、例えば、白抜き矢印Ａ２で示されるようにして撮影空間６２から退場し、白抜き矢印Ａ３で示されるようにして写真シール自動販売機１の背面側に設けられる編集空間７３に移動する。
【００８７】
このとき、順番待ち空間７４において順番待ちをしていたユーザ（撮影空間６２が空くのを待機していたユーザ）は、撮影空間６２を先に使用していたユーザの組が編集空間７３に移動することに応じて、撮影空間６２に入場する。
【００８８】
上述したように、編集空間７３から確認できる編集用モニタ４１−１および４１−２には、撮影空間６２において撮影し、選択した画像が表示されるため、ユーザは、それに対して編集を行う。ユーザは、編集を終えたとき、次に、写真シール自動販売機１の面１Ｂに臨む場所である印刷待ち空間７５に白抜き矢印Ａ４で示されるようにして移動し、編集した画像がシール紙１２１にプリントされ、排出されるまで待機する。
【００８９】
そして、シール取り出し口３１にシール紙１２１が排出されたとき、ユーザは、それを受け取り、写真シール自動販売機１の利用を終える。これらの移動の案内は、撮影用モニタ１６、編集用モニタ４１−１および４１−２、または図示せぬスピーカなどにより行われる。
【００９０】
このように、撮影を行う空間、編集を行う空間、印刷が終了するのを待機する空間を、写真シール自動販売機１の異なる面の前方にそれぞれ設けることにより、撮影処理、編集処理、印刷処理を併行して実行させることができ、これらの処理を１つの空間で実行させる場合に較べて、後続のユーザの待ち時間を減らすと共に、単位時間あたりに写真シール自動販売機１を利用するユーザの人数を増加させることができる。従って、収益を向上させることができる。また、撮影処理に要する時間、編集処理に要する時間等を長く確保することができる。
【００９１】
図５は、図１の操作パネル１７を拡大した図である。操作パネル１７上には、左側に、撮影用モニタ１６に表示された種々の選択肢を選択するときに操作されるプラスボタン８１、左ボタン８２、右ボタン８３、およびマイナスボタン８４が設置されている。また、操作パネル１７の右側には、上に、例えば、撮影用モニタ１６に表示される各種の選択に対して、決定するときに操作されるマルボタン８５、および決定したものをキャンセルするときに操作されるバツボタン８６が設置され、下に、撮影を終了する際に操作される撮影終了ボタン８７、および制限時間を延長する際に操作される延長ボタン８８が設置されている。
【００９２】
操作部１１には、撮影用モニタ１６に直接押し当てることで各種の選択を行うためのタッチペンなども適宜用意される。操作パネル１７は、ユーザにより入力された操作に対応する操作信号を、制御装置９１（図６）に送信する。
【００９３】
図６は、写真シール自動販売機１の内部の構成例を示すブロック図である。上述した構成について、その詳細な説明は適宜省略する。
【００９４】
制御装置９１は、例えば、汎用のパーソナルコンピュータなどにより構成され、写真シール自動販売機１の全体の動作を制御する。具体的には、制御装置９１に設けられているＣＰＵ（Ｃｅｎｔｒａｌ　Ｐｒｏｃｅｓｓｉｎｇ　Ｕｎｉｔ）１３１により、ＲＯＭ（Ｒｅａｄ　Ｏｎｌｙ　Ｍｅｍｏｒｙ）１３２やハードディスクなどにより構成される記憶部１３６（いずれも図７）に記憶されているプログラムに基づく処理が実行される。
【００９５】
硬貨処理部９２は、ユーザにより所定の代金が硬貨投入口１８、または硬貨投入口４５に投入されたとき、それを検出し、制御装置９１に通知する。照明制御部９３は、撮影装置１２により被写体が撮影されるタイミングに併せて、制御装置９１からの指示に基づいてフラッシュ光を出射する。出射されたフラッシュ光は、図１のフラッシュ照射部１５−１および１５−２を介して被写体（ユーザ）を照射する。
【００９６】
写真シール自動販売機１の面１Ｃに設けられている編集用モニタ４１−１にはタッチパネル９４−１が、編集用モニタ４１−２にはタッチパネル９４−２がそれぞれ積層されている。タッチパネル９４−１および９４−２は、タッチペン４３−１および４３−２により入力されたユーザからの指示を制御装置９１に出力する。なお、以下の説明において、タッチパネル９４−１および９４−２を、個々に区別する必要がない場合、まとめてタッチパネル９４と称する。
【００９７】
電源装置９５は、写真シール自動販売機１の各部に電力を供給する。
【００９８】
プリンタユニット９６は、プリンタ部１１１と制御タグリーダライタ１１２により構成され、プリンタユニット９６に装着されるシール紙ユニット９７は、シール紙１２１と、個々のシール紙ユニット９７を識別する識別情報等を管理する制御タグ１２２により構成される。
【００９９】
プリンタ部１１１は、編集済みの画像が所定の配置に並べられた印刷用画像データが制御装置９１から供給されたとき、供給された印刷用画像データに対応する印刷用画像をシール紙１２１に印刷し、シール紙１２１をシール取り出し口３１に排出する。
【０１００】
制御タグリーダライタ１１２は、制御タグ１２２に記憶されている識別情報を接触または非接触により読み出し、制御装置９１に出力する。制御装置９１は、制御タグリーダライタ１１２から供給された識別情報に基づいて、装着されているシール紙ユニット９７が、写真シール自動販売機１において利用可能なユニットであるか否かを判定し、利用可能なユニットであると判定したときにのみ、プリンタ部１１１を動作可能にする。すなわち、制御装置９１により、写真シール自動販売機１において利用可能とされるシール紙ユニットの識別情報が管理されている。
【０１０１】
これにより、写真シール自動販売機１に対応していない（純正のものでない）シール紙が利用されるのを抑制することができる。また、制御タグ１２２により、シール紙１２１の残量等も管理される。なお、シール紙ユニット９７が純正のものであるか否かを、シール紙ユニット９７にプリントされているバーコードなどにより確認させるようにしてもよい。
【０１０２】
図７は、図６の制御装置９１の詳細な構成例を示すブロック図である。
【０１０３】
ＣＰＵ１３１は、ＲＯＭ１３２に記憶されているプログラム、または、記憶部１３６からＲＡＭ（Ｒａｎｄｏｍ　Ａｃｃｅｓｓ　Ｍｅｍｏｒｙ）１３３にロードされたプログラムに従って各種の処理を実行する。ＲＡＭ１３３にはまた、ＣＰＵ１３１が各種の処理を実行する上において必要なデータなどが適宜記憶される。
【０１０４】
ＣＰＵ１３１、ＲＯＭ１３２、およびＲＡＭ１３３は、バス１３４を介して相互に接続されている。バス１３４にはまた、入出力インタフェース１３５も接続されている。
【０１０５】
入出力インタフェース１３５には、図６に示される、撮影装置１２、撮影用モニタ１６、操作パネル１７、編集用モニタ４１−１および４１−２、硬貨処理部９２、照明制御部９３、タッチパネル９４−１および９４−２（タッチパネル９４）、延長ボタン４４、並びにプリンタユニット９６が接続されている。
【０１０６】
記憶部１３６は、ＣＰＵ１３１により実行されるプログラムの他、撮影装置１２により取り込まれている被写体の画像と合成する編集用の画像のデータや、撮影して得られた画像のデータなどを記憶する。記憶部１３６は、ＣＰＵ１３１からの要求に応じて、それらのデータを適宜読み出し、提供する。
【０１０７】
入出力インタフェース１３５にはまた、必要に応じてドライブ１３７が接続され、磁気ディスク１５１、光ディスク１５２、光磁気ディスク１５３、或いは半導体メモリ１５４などが適宜装着され、それらから読み出されたコンピュータプログラムや背景画像データが必要に応じて記憶部１３６に保存される。
【０１０８】
次に、図７のフローチャートを参照して、写真シール自動販売機１の顧客応対処理、すなわち、写真シール自動販売機１を利用する顧客（ユーザ）に応対する、写真シール自動販売機１の全体の処理について説明する。
【０１０９】
ステップＳ５１において、制御装置９１のＣＰＵ１３１は、硬貨処理部９２からの通知に基づいて、代金が投入されたか否か、すなわち、撮影を開始するユーザがいるか否かを判定し、代金が投入されたと判定するまで待機する。
【０１１０】
ＣＰＵ１３１は、ステップＳ５１において、代金が投入されたと判定した場合、ステップＳ５２に進み、撮影モードの選択を受け付ける。
【０１１１】
撮影モードについて説明する。写真シール自動販売機１には、予め、撮影時間を長く編集時間を短く割り当てる撮影重視モードと、撮影時間を短く編集時間を長く割り当てる編集重視モードの２つの撮影モードが設定されている。写真シール自動販売機１の処理は、大きく撮影モード選択受付処理（ステップＳ５２）、撮影処理（ステップＳ５３）、編集処理（ステップＳ５５）、およびシール分割数選択受付処理（ステップＳ５６）の４つの処理に分けることができる。
【０１１２】
撮影重視モードの場合、写真シール自動販売機１は、例えば、撮影モード選択受付処理の制限時間に２０秒、撮影処理の制限時間に１００秒、編集処理の制限時間に７０秒、シール分割数選択受付処理の制限時間に２０秒を、それぞれ割り当てる。制限時間の合計は２１０秒（３分３０秒）である。なお、編集空間への移動処理（ステップＳ５４）に、例えば、５秒間設けるようにしても良い。
【０１１３】
編集重視モードの場合、写真シール自動販売機１は、例えば、撮影モード選択処理の制限時間に２０秒、撮影処理の制限時間に７０秒、編集処理の制限時間に１００秒、シール分割数選択処理の制限時間に２０秒を、それぞれ割り当てる。撮影重視モードと同様、編集重視モードの場合も、制限時間の合計は２１０秒（３分３０秒）である。なお、編集空間への移動処理（ステップＳ５４）に、例えば、５秒間設けるようにしても良い。
【０１１４】
２つの撮影モードにおいて、撮影処理と編集処理の制限時間の設定に違いがある。撮影重視モードでは、撮影処理に対して、より長い制限時間が設定されている。編集重視モードでは、編集処理に対して、より長い制限時間が設定されている。２つの撮影モードにおいて、撮影処理と編集処理の制限時間の設定以外の時間設定は、同一である。
【０１１５】
そこで、ステップＳ５２において、制御装置９１のＣＰＵ１３１は、記憶部１３６より、例えば図９に示されるような撮影モードの選択を促す画面のデータを読み出し、撮影用モニタ１６に表示させる。また、このとき、ＣＰＵ１３１は、後述する図２１のステップＳ２３２の処理により、撮影モード選択受付処理の制限時間として予め設定された時間（例えば２０秒）のカウントダウンを開始する。
【０１１６】
図９に示されるように、撮影用モニタ１６には、撮影モード選択ボタン２０４−１および２０４−２が表示されている。撮影モード選択ボタン２０４−１には、「撮影をいっぱい　落書きはほどほど」のメッセージが表示されている。ユーザは、このメッセージにより、撮影処理の時間を長く確保する撮影重視モードであることを知ることができる。撮影モード選択ボタン２０４−２には、「撮影はほどほど　落書きはいっぱい」のメッセージが表示されている。ユーザは、このメッセージにより、編集処理の時間を長く確保する編集重視モードであることを知ることができる。
【０１１７】
図９においては、撮影モード選択ボタン２０４−１に斜線が引かれている。この斜線は、撮影モード選択ボタン２０４−１にカーソルが合わせられていることを示している。実際の撮影用モニタ１６においては、カーソルが合わせられているボタンに斜線は表示されず、カーソルが合わせられているボタンはそれ以外のボタンとは異なる色で強調的に表示される。
【０１１８】
また、図９において、右側に延長可能回数表示欄２０１が表示され、その中に、延長アイテム２０２−１乃至２０２−４（以下、延長アイテム２０２−１乃至２０２−４のそれぞれを、個々に区別する必要が無い場合、まとめて延長アイテム２０２と称する。以下、他の記述も同様とする。）の４つの延長アイテムが表示されている。延長アイテム２０２には「１５秒」と表示されている。
【０１１９】
また、延長可能回数表示欄２０１の下には、撮影モード選択処理に割り当てられた残り時間を表示する残り時間表示欄２０３が表示されている。図９においては、「残り１５秒」と表示されている。残り時間表示欄２０３に表示された残り時間は、ステップＳ５２の処理の開始当初からＣＰＵ１３１が開始した制限時間のカウントダウンに合わせて、２０，１９，１８，１７，１６のように、０まで減少してゆく。残り時間表示欄２０３に表示された残り時間が０秒になった場合、ＣＰＵ１３１は、後述する図２１のステップＳ２３９の処理により、ステップＳ５２の撮影モード選択処理を強制的に終了させる。
【０１２０】
ユーザが、操作パネル１７上の延長ボタン８８（図５）を１回、押下する毎に、延長可能回数表示欄２０１の延長アイテム２０２は、１つずつ減少してゆき、残り時間表示欄２０３に表示された残り時間が１５秒だけ加算される。ユーザは、残り時間表示欄２０３に表示されている残り時間が残り少なくなった場合、延長ボタン８８を押下することにより、残り時間に１５秒加算することができる。図９においては、延長アイテム２０２が４個表示されているので、ユーザは、あと４回、残り時間を延長可能である。なお、詳細な説明は後述する。
【０１２１】
ユーザは、操作パネル１７上の左ボタン８２と右ボタン８３を操作して、撮影モード選択ボタン２０４−１および２０４−２のいずれかにカーソルを合わせ、マルボタン８５を操作して、カーソルが合わせられているほうの撮影モード選択ボタンに決定することができる。
【０１２２】
撮影モードが決定された後、ＣＰＵ１３１は、撮影処理および編集処理にそれぞれ割り当てる制限時間を、選択された撮影モードに設定し、処理はステップＳ５３に進む。
【０１２３】
ステップＳ５３において、ＣＰＵ１３１は、撮影処理を実行する。以下、撮影処理について具体的に説明する。
【０１２４】
制御装置９１のＣＰＵ１３１は、各種の機能や撮影方法を説明する説明画面の画像データを記憶部１３６より読み出し、撮影用モニタ１６に表示させる。なお、画像表示部２２には、ＣＣＤ２１が撮影している動画像が表示される。また、ＣＰＵ１３１は、撮影処理の開始時に、後述する図２２のステップＳ２６２の処理により、撮影処理の制限時間として予め設定された時間（ステップＳ５２で選択されたモードの場合の撮影処理に割り当てられた制限時間。例えば７０秒）のカウントダウンを開始する。
【０１２５】
図１０は、撮影用モニタ１６に表示される説明画面の例を示す図であり、撮影する画像を縦長の画像とするか、横長の画像とするかを選択する画面とされている。なお、「＋／−ボタンで選んでね」のメッセージが表示されており、ユーザは、操作パネル１７のプラスボタン８１を操作した場合、縦長の画像を撮影することができ、マイナスボタン８４を操作した場合、横長の画像を撮影することができる。また、画面の右上には、残りの撮影可能枚数が「４枚」として表示されている。
【０１２６】
さらに、図１０に示されるように、画面の右側には、延長可能回数表示欄２０１および残り時間表示欄２０３が表示されている。延長可能回数表示欄２０１には、４つの延長アイテム２０２−１乃至２０２−４が表示されており、ユーザは、あと４回、延長可能であることを知ることができる。なお、ステップＳ５３の撮影処理の開始当初に、延長可能回数表示欄２０１に表示される延長アイテムの個数は、ステップＳ５２の撮影モードの選択受付処理が終了した時点の個数と同一である。例えば、ステップＳ５２の処理が終了した時点で、延長可能回数表示欄２０１に、３個の延長アイテム２０２が表示されていた場合、ステップＳ５３の開始時に、延長可能回数表示欄２０１には、ステップＳ５２の終了時と同一の個数、すなわち３個の延長アイテム２０２が表示される。
【０１２７】
また、図１０に示されるように、残り時間表示欄２０３には、「残り６５秒」と表示されており、ユーザは、撮影処理の残り時間が６５秒であることを知ることができる。
【０１２８】
なお、以下のステップＳ５３の説明中に引用する図においても、残り時間表示欄２０３が表示されている図があるが、残り時間表示欄２０３に表示された残り時間は、ステップＳ５３の処理の開始当初からＣＰＵ１３１が開始した制限時間のカウントダウンに合わせて、７０，６９，６８，６７，６６，６５のように、０まで減少してゆく（ただし、延長ボタン８８を操作した場合、１５秒加算される。詳細は後述する）。残り時間表示欄２０３に表示された残り時間が０秒になった場合、ＣＰＵ１３１は、後述する図２２のステップＳ２７１の処理により、撮影処理を強制的に終了し、次の処理に進む。
【０１２９】
図１１は、撮影用モニタ１６に表示される説明画面の他の例を示す図であり、例えば、図１０において撮影する画像の方向が選択された後、表示される。この例においては、「ズームの調整を＋／−ボタンでしてね。用意ができたらスタートボタンを押してね」のメッセージが表示されており、ユーザは、操作パネル１７のプラスボタン８１、およびマイナスボタン８４を操作することにより、ＣＣＤ２１のズーム調整を行うことができる。
【０１３０】
さらに、画面の右側には、延長可能回数表示欄２０１および残り時間表示欄２０３が表示されている。延長可能回数表示欄２０１には、４つの延長アイテム２０２−１乃至２０２−４が表示されており、ユーザは、あと４回、延長可能であることを知ることができる。残り時間表示欄２０３には、「残り６２秒」と表示されており、ユーザは、撮影処理の残り時間が６２秒であることを知ることができる。
【０１３１】
制御装置９１のＣＰＵ１３１は、図１０および図１１に示したような説明画面に応じて、ユーザからＣＣＤ２１を調整することが入力されたとき、その入力に基づいて撮影装置１２を制御する。例えば、図１０に示すような説明画面においてプラスボタン８１が選択されたとき、撮影装置１２は、ＣＰＵ１３１からの指示に基づいて、取り込む画像を縦長の画像とするようにＣＣＤ２１を制御する。
【０１３２】
ユーザは、操作パネル１７上のマルボタン８５を操作して、自らの撮影を行うことができる。制御装置９１のＣＰＵ１３１は、操作パネル１７から、撮影を開始する旨の操作信号が送信されてくるまで、図１０または図１１に示されるような画面を撮影用モニタ１６に表示させる。そして、操作パネル１７から、撮影を開始する旨の操作信号が送信されてきた場合、ＣＰＵ１３１は、撮影用モニタ１６にカウントダウンインジケータを表示させ、撮影するタイミングとなったとき、ＣＣＤ２１により撮影されている画像をキャプチャし、作成された撮影画像の画像データを、記憶部１３６に記憶させる。
【０１３３】
図１２は、撮影用モニタ１６に表示される表示画面の例を示す図である。図に示すように、カウントダウンインジケータ２２１が表示され、例えば、左側の信号から順に点灯が開始され、１番右側の信号が点灯されたとき、ＣＣＤ２１により撮影されている画像がキャプチャされ、記憶部１３６に記憶される。なお、この例においては、撮影するタイミングと同時に、「はい、ポーズ！」のメッセージが表示されている。
【０１３４】
また、画面の右側には、延長可能回数表示欄２０１および残り時間表示欄２０３が表示されている。延長可能回数表示欄２０１には、４つの延長アイテム２０２−１乃至２０２−４が表示されており、ユーザは、あと４回、延長可能であることを知ることができる。残り時間表示欄２０３には、「残り６０秒」と表示されており、ユーザは、撮影処理の残り時間が６０秒であることを知ることができる。
【０１３５】
撮影するタイミングとなったとき、ＣＰＵ１３１は、照明制御部９３に指示して、照明装置１５−１および１５−２を発光させ、フラッシュを被写体に照射するとともに、その瞬間にＣＣＤ２１により取り込まれている画像を、静止画像としてキャプチャ（保存）し、記憶部１３６に記憶させる。
【０１３６】
その後、制御装置９１のＣＰＵ１３１は、撮影した画像の確認画面を撮影用モニタ１６に表示させる。図１３は、画像確認画面の例を示す図であり、撮影用モニタ１６のほぼ中央に、撮影した画像が表示され、その上に、「これでいいかな？○／×ボタンを押してね」のメッセージが表示されている。ユーザは、表示されている画像を、編集用の画像として保存するか否かを、操作パネル１７のマルボタン８５またはバツボタン８６を操作することにより選択することができる。
【０１３７】
また、画面の右側には、延長可能回数表示欄２０１および残り時間表示欄２０３が表示されている。延長可能回数表示欄２０１には、４つの延長アイテム２０２−１乃至２０２−４が表示されており、ユーザは、あと４回、延長可能であることを知ることができる。残り時間表示欄２０３には、「残り４７秒」と表示されており、ユーザは、撮影処理の残り時間が４７秒であることを知ることができる。
【０１３８】
そして、ＣＰＵ１３１は、操作パネル１７からの操作信号に基づいて、編集用の画像として保存することが指示されたか否かを判定し、指示されていない（バツボタン８６が操作された）と判定した場合、記憶部１３６に記憶させた画像を消去する。そして、再度、上記したようにして、ユーザに撮影を行わせる。
【０１３９】
一方、ＣＰＵ１３１は、編集用の画像として保存することが選択された（マルボタン８５が操作された）と判定した場合、その画像を編集用の画像に追加する（画像は、記憶部１３６に保持される）。そして、ＣＰＵ１３１は、編集用の画像として追加した画像の明るさを調整する明るさ調整画面を撮影用モニタ１６に表示させる。
【０１４０】
図１４は、撮影用モニタ１６に表示される明るさ調整画面の例を示す図である。この例においては、編集用の画像として保存された画像が画面のほぼ中央に表示され、その下に、明るさのレベルを指定するボタンが表示されている。また、画面の上部には、「明るさを＋／−ボタンで調整してね。よければ○ボタンを押してね。」のメッセージが表示されており、ユーザは、操作パネル１７のプラスボタン８１またはマイナスボタン８４を操作し、カーソル２３１を移動させて明るさを調整する。なお、編集用の画像が選択されたため、図１４の右上方に示すように、残り撮影可能枚数が１だけ減算されて、例えば、「３枚」とされる。
【０１４１】
さらに、画面の右側には、延長可能回数表示欄２０１および残り時間表示欄２０３が表示されている。延長可能回数表示欄２０１には、４つの延長アイテム２０２−１乃至２０２−４が表示されており、ユーザは、あと４回、延長可能であることを知ることができる。残り時間表示欄２０３には、「残り４２秒」と表示されており、ユーザは、撮影処理の残り時間が４２秒であることを知ることができる。
【０１４２】
ＣＰＵ１３１は、操作パネル１７からの入力に応じて、編集用の画像の明るさを調整し、マルボタン８５が操作されたとき、そのレベルの明るさで編集用の画像を記憶部１３６に保存する。
【０１４３】
その後、ＣＰＵ１３１は、記憶部１３６に記憶されている編集用の画像の枚数を確認し、残り撮影可能枚数が「０枚」となったか否かを判定する。そして、残り撮影可能枚数が「０枚」でないと判定した場合、再度、図１０の画面を撮影用モニタ１６に表示させ、ユーザに自らの撮影を行わせる。ただし、残り時間表示欄２０１に表示される残り時間は、ＣＰＵ１３１のカウントダウンに従って表示される。そして、残り撮影可能枚数が「０枚」となったと判定した場合、撮影処理を終了する。
【０１４４】
ところで、ユーザが撮影処理を行っている最中に、撮影処理の残り時間が足りなくなってしまうことがある。残り時間が足りなくなりそうな場合の例を図１５に示す。
【０１４５】
図１５は、ユーザが自らを撮影した後、撮影用モニタ１６に表示された、撮影した画像の確認画面の例である。図１５に「残り１枚」と示されているように、ユーザは、既に３枚の画像の撮影を行っている（記憶部１３６に３枚の編集用の画像が記憶されている）。ユーザは、あと１枚、自らを撮影することができる。しかしながら、残り時間表示欄２０３に「残り７秒」と表示されているように、撮影処理の残り時間は７秒間しか残されていない。従って、ユーザは、再度、自らを撮影したい場合、残り時間７秒間で、まず、図１４を参照して説明したような明るさ調整を行い、次に図１０乃至図１４を参照して上述したような一連の撮影手順を行わなくてはならず、時間が不足してしまう。
【０１４６】
このように時間が不足しそうな場合、ユーザは、操作パネル１７上の延長ボタン８８を押下することにより、撮影処理の残り時間を延長させることができる。すなわち、延長ボタン８８が１回押下された場合、ＣＰＵ１３１は、カウントダウン中の残り時間に１５を加算し、そこから、カウントダウンを再開する。それと同時に、延長アイテム２０２の表示を１つだけ減少させる。従って、撮影用モニタ１６には、図１６に示されるような画面が表示される。
【０１４７】
図１６において、延長可能回数表示欄２０１に表示された延長アイテム２０２の個数は、図１５の場合より１つ減少し、残り時間表示欄２０３に表示された残り時間は、７秒から２２秒に増加している。ユーザは、７秒から２２秒に増加した残り時間内に、再度の撮影を行えばよく、充分な時間をかけて、自らの撮影を行うことができる。なお、さらに残り時間が不足しそうな場合、ユーザは、再度、延長ボタン８８を押下して、残り時間を延長することができる。その場合、延長可能回数表示欄２０１に表示される延長アイテム２０２の個数が、さらに１つ減少する。
【０１４８】
ユーザは、延長可能回数表示欄２０１に、表示されている延長アイテム２０２の個数分、上記したような残り時間の延長を行うことができる。例えば、図１６に示される画面が撮影用モニタ１６に表示されている場合、ユーザにより延長ボタン８８が操作されたとき、ＣＰＵ１３１は、さらに１５秒間、残り時間を延長し、残り時間表示欄２０３に「残り３７秒」と表示させ、延長可能回数表示欄２０１に表示されている延長アイテム２０２の個数を、３個から２個に減少させる。
【０１４９】
なお、ユーザが、残り時間の延長を、予め設定された所定の回数（本実施の形態においては４回）行ってしまった場合、撮影用モニタ１６には、図１７に示されるような画面が表示される。
【０１５０】
図１７において、延長可能回数表示欄２０１には、延長アイテム２０２が表示されていない。図１７においては、延長可能回数表示欄２０１には、斜線が引かれているが、実際には、例えば所定の色（黒、青色など）で塗りつぶされている。または、例えば、延長可能回数表示欄２０１を点滅させるようにしても良い。
【０１５１】
また、図１７に示されるように、撮影用モニタ１６には、下方に、案内表示２５１「１００円入れれば４回延長できるよ！」が表示さている。ユーザは、この案内表示２５１により、１００円を追加投入すれば、４回延長できることを知ることができる。ユーザが、硬貨投入口１８から１００円を投入した場合、硬貨処理部９２からの通知を受けて、ＣＰＵ１３１は、延長可能回数を４回分追加し、延長可能回数表示欄２０１に、延長アイテム２０２を４個表示させる。
【０１５２】
以上で撮影処理の説明を終了する。
【０１５３】
撮影処理の終了後、処理は図８のステップＳ５４に進む。
【０１５４】
ステップＳ５４において、制御装置９１のＣＰＵ１３１は、ユーザに、編集空間７３に移動するように促すメッセージを記憶部１３６より読み出し、撮影用モニタ１６に表示させる。ユーザは、このメッセージに従って、図４に示される、撮影空間６２の出口から白抜き矢印Ａ２で示されるようにして退場し、白抜き矢印Ａ３で示されるようにして編集空間７３に移動する。
【０１５５】
ステップＳ５５において、制御装置９１のＣＰＵ１３１は、編集空間７３に移動したユーザからの入力に応じて、撮影した画像を編集する編集処理を実行する。
【０１５６】
すなわち、まず、制御装置９１のＣＰＵ１３１は、記憶部１３６から、編集用の画像として記憶された撮影画像、および編集画面用の画像をＲＡＭ１３３にロードし、図１８に示されるような編集画面を、編集用モニタ４１−１および４１−２に表示させる。また、ＣＰＵ１３１は、後述する図２３のステップＳ３０２の処理により、編集処理のために予め設定された制限時間（ステップＳ５２で選択されたモードの場合の編集処理に割り当てられた制限時間。例えば、１００秒）のカウントダウンを開始する。
【０１５７】
なお、以下の説明においては、編集用モニタ４１−１、タッチペン４３−１、およびタッチパネル９４−１を代表として説明するが、以下の説明は、編集用モニタ４１−２、タッチペン４３−２、およびタッチパネル９４−２にも適用される。すなわち、写真シール自動販売機１は、編集用モニタ４１−１および４１−２のそれぞれにおいて、別々にユーザからの編集操作の入力を受け付ける。
【０１５８】
図１８は、編集用モニタ４１−１に表示される編集画面の例を示す図である。基本的に同様の画面が、写真シール自動販売機１の面１Ｃに水平方向に並置して設けられている編集用モニタ４１−２にも表示される。
【０１５９】
例えば、編集用モニタ４１−１には、画像表示領域３０１が設けられ、画像表示領域３０１内に、撮影処理において記憶部１３６に記憶された編集用の画像３０２が拡大して表示される。ユーザは、画像選択部３０３に表示されている編集用の画像のサムネイルの中から、画像表示領域３０１に表示させる編集用の画像をタッチペン４３−１により選択することができる。画像選択部３０３には、撮影処理において保存することが指示された画像が一覧表示されている。
【０１６０】
画像表示領域３０１の近傍には、編集ツールを選択するとき操作される各種のボタンが表示される。例えば、画像表示領域３０１の上には、編集用の画像に線や文字などを入力するための「ペンツール」を選択するとき操作されるペンメニュー３０４、編集用の画像に所定のスタンプ画像を配置する「スタンプツール」を選択するとき操作されるスタンプメニュー３０５、「ペンツール」により入力される文字などの色を選択するとき操作される色選択メニュー３０６が表示される。
【０１６１】
また、一度入力した落書き等を消すための「消しゴムツール」を選択するとき操作される消しゴムメニュー３０７、被写体の背景部分に好みのテクスチャを配置する「背景ブラシツール」と、その範囲を選択するとき操作される範囲調整メニュー３０８、および、「ペンツール」の太さを選択するとき操作される太さメニュー３０９が表示される。また、画像表示領域３０１の左下には、画像表示領域３０１内の編集用の画像３０２を９０度傾けるとき操作される縦横切り替えボタン３１０、編集用の画像３０２上に、一旦、描画した線やスタンプを消去するとき操作されるやりなおしボタン３１１、および編集用の画像３０２上に今までに描画した線やスタンプを全て消去するとき操作されるはじめからやりなおしボタン３１２が表示される。また、画像表示領域３０１の右下には、編集処理を終了し、印刷を開始するとき操作される終了ボタン３１３が表示されている。終了ボタン３１３が操作された場合、ＣＰＵ１３１は、ステップＳ５５の編集処理を終了し、次の処理に進む。
【０１６２】
図１８に示されるように、編集用モニタ４１−１の右方には、さらに、撮影用モニタ１６に表示されたもの同様の延長可能回数表示欄２０１、および残り時間表示欄２０３が表示されている。また、延長可能回数表示欄２０１には、延長アイテム２０２−１および２０２−２が表示されている。なお、ステップＳ５５の編集処理の開始当初に、延長可能回数表示欄２０１に表示される延長アイテムの個数は、ステップＳ５３の撮影処理が終了した時点の個数と同一である。例えば、ステップＳ５３の撮影処理が終了した時点で、延長可能回数表示欄２０１に、２個の延長アイテム２０２が表示されていた場合、ステップＳ５５の開始時に、延長可能回数表示欄２０１には、ステップＳ５３の終了時と同一の個数、すなわち２個の延長アイテム２０２が表示される。
【０１６３】
また、延長可能回数表示欄２０１に表示される延長アイテム２０２がなくなった場合、編集用モニタ４１−１には、図１７の案内表示２５１と同様の案内表示「１００円入れれば４回延長できるよ！」が表示される。そして、硬貨投入口４５から追加の代金が投入された場合、延長可能回数表示欄２０１には、４個の延長アイテム２０２が表示される。
【０１６４】
残り時間表示欄２０３に表示された残り時間は、ステップＳ５５の処理の開始当初からＣＰＵ１３１が開始した制限時間のカウントダウンに合わせて、１００，９９，９８，９７，９６，９５のように、０まで減少してゆく（ただし、延長ボタン４４が操作された場合、１５秒加算される）。残り時間表示欄２０３に表示された残り時間が０秒になった場合、ＣＰＵ１３１は、後述する図２３のステップＳ３０９の処理により、編集処理（ステップＳ５５）を強制的に終了し、次の処理に進む。
【０１６５】
ユーザは、タッチペン４３−１により、ペンメニュー３０４、またはスタンプメニュー３０５などの中から、所望するペンツール、またはスタンプツールを選択し、画像表示領域３０１内に表示されている編集用の画像３０２上に、線、文字、またはスタンプを描画することができる。
【０１６６】
ＣＰＵ１３１は、編集用の画像３０２上に入力された編集操作（落書き）に対応する線、文字、およびスタンプなどを書き込んだ画像データをＲＡＭ１３３に記憶させ、編集用モニタ４１−１の画像表示領域３０１の表示に反映させる。従って、画像表示領域３０１内の編集用の画像３０２上に、線、文字、およびスタンプなどの落書きが表示される。
【０１６７】
写真シール自動販売機１は、２つの編集用モニタ４１−１および４１−２のそれぞれに終了ボタン３０３を表示させている。従って、ＣＰＵ１３１は、ステップＳ５５において、編集用モニタ４１−１および４１−２にそれぞれ表示されている終了ボタン３１３のうち、いずれか一方がタッチペン４３によりタッチされた場合、終了ボタン３１３がタッチされたと判定し、編集処理を終了する。
【０１６８】
そこで、編集処理の残り時間が０秒になった場合、タッチペン４３−１により編集用モニタ４１−１に表示された終了ボタン３１３がタッチされた場合、またはタッチペン４３−２により編集用モニタ４１−２に表示された終了ボタン３１３がタッチされた場合、ＣＰＵ１３１は、ＲＡＭ１３３に記憶させている編集された画像のデータを、編集済み画像として記憶部１３６に記憶させ、後述する図２３のステップＳ３０９の処理により、編集処理を終了させる。その後、処理はステップＳ５６に進む。
【０１６９】
なお、写真シール自動販売機１は、２つの編集用モニタ４１−１および４１−２にそれぞれ表示されている終了ボタン３１３のうち、いずれか一方がタッチペン４３によりタッチされた場合、終了ボタン３１３がタッチされた側の編集用モニタ４１で受け付けていた編集処理を終了し、タッチペン４３により終了ボタン３１３がタッチされていない側の編集用モニタ４１で受け付けている編集処理は続行するようにしても良い。
【０１７０】
ステップＳ５６において、ＣＰＵ１３１は、記憶部１３６より、シール紙１２１に印刷する画像の分割数選択画面を読み出し、編集用モニタ４１−１に表示させる。図１９に分割数選択画面の例を示す。また、ＣＰＵ１３１は、後述する図２４のステップＳ３３２の処理により、シール分割数の選択受付処理の制限時間として予め設定された時間（例えば２０秒）のカウントダウンを開始する。
【０１７１】
図１９に示されるように、編集用モニタ４１−１の中央には、分割数選択ボタン３５１−１乃至３５１−６が表示されている。図１９においては、分割数選択ボタン３５１−１に斜線が引かれているが、これは、カーソルが合わせられていることを表しており、実際の編集用モニタ４１−１においては、その他の分割数選択ボタン３５１−２乃至３５１−６とは異なる色で強調的に表示されている。ユーザは、分割数選択ボタン３５１−１乃至３５１−６の中から、タッチペン４３−１でタッチすることにより、所望する分割数選択ボタン３５１−１乃至３５１−６を選択することができる。
【０１７２】
また、図１９に示される画面左下には、決定ボタン３５２が表示されている。ユーザは、タッチペン４３−１により、分割数選択ボタン３５１−２乃至３５１−６の中から、いずれかの分割数選択ボタンを選択した後、タッチペン４３−１で決定ボタン３５２にタッチすることにより、分割数を決定することができる。
【０１７３】
また、図１９においては、編集用モニタ４１−１の右方には、さらに、撮影用モニタ１６に表示されたもの同様の延長可能回数表示欄２０１、および残り時間表示欄２０３が表示されている。また、延長可能回数表示欄２０１には、延長アイテム２０２−１が表示されており、ユーザは、あと１回、延長できることを知ることができる。なお、ステップＳ５６の処理の開始当初に、延長可能回数表示欄２０１に表示される延長アイテムの個数は、ステップＳ５５の編集処理が終了した時点の個数と同一である。例えば、ステップＳ５５の処理が終了した時点で、延長可能回数表示欄２０１に、１個の延長アイテム２０２が表示されていた場合、ステップＳ５６の開始時に、延長可能回数表示欄２０１には、ステップＳ５５の終了時と同一の個数、すなわち１個の延長アイテム２０２が表示される。
【０１７４】
また、延長可能回数表示欄２０１に表示される延長アイテム２０２がなくなった場合、編集用モニタ４１−１には、図１７の案内表示２５１と同様の案内表示「１００円入れれば４回延長できるよ！」が表示される。そして、硬貨投入口４５から追加の代金が投入された場合、延長可能回数表示欄２０１には、４個の延長アイテム２０２が表示される。
【０１７５】
残り時間表示欄２０３に表示された残り時間は、ステップＳ５６の処理の開始当初からＣＰＵ１３１が開始した制限時間のカウントダウンに合わせて、２０，１９，１８，１７，１６，１５のように、０まで減少してゆく（ただし、延長ボタン４４が操作された場合、１５秒加算される）。残り時間表示欄２０３に表示された残り時間が０秒になった場合、ＣＰＵ１３１は、シール分割数の選択受付処理（ステップＳ５６）を強制的に終了し、次の処理に進む。
【０１７６】
タッチペン４３−１により決定ボタン３５２がタッチされた場合、またはシール分割数の選択受付処理の残り時間が０秒になった場合、ＣＰＵ１３１は、後述する図２４のステップＳ３３９の処理により、シール分割数の選択受付を終了し、処理はステップＳ５７に進む。
【０１７７】
ステップＳ５７において、ＣＰＵ１３１は、ステップＳ５５の編集処理で編集された画像を、ステップＳ５６で選択された分割数で、シール紙１２１に印刷させる。すなわち、ＣＰＵ１３１は、記憶部１３６からＲＡＭ１３３に、編集済み画像データをロードし、この編集済み画像データを、ステップＳ５６の処理で決定された分割数に従ってに配列して、印刷用画像データを作成する。そして、ＣＰＵ１３１は、作成した印刷用画像データを、プリンタ部１１１に供給し、シール紙１２１に印刷させる。印刷用画像データが印刷されたシール紙１２１は、シール取り出し口３１から排出される。ユーザは、シール取り出し口３１から排出された、印刷用画像データが印刷されたシール紙１２１を受け取ることができる。
【０１７８】
ステップＳ５７の処理が終了した後、処理はステップＳ５１に戻り、ステップＳ５１以降の処理が繰り返し実行される。
【０１７９】
以上で、写真シール自動販売機１の顧客応対処理の説明を終了する。
【０１８０】
なお、図８に示される処理は、記載された順序に従って時系列的に行われるだけでなく、そのときの写真シール自動販売機１の利用状況に応じて並列的にも行われる。例えば、第１のユーザが撮影空間６２において撮影を終了させ、編集空間７３に移動した後、第１のユーザが編集空間７３で画像の編集を行っている最中に、第２のユーザが撮影空間６２において撮影を開始した場合、図８のステップＳ５２およびステップＳ５３の処理（撮影空間６２における第２のユーザの処理）とステップＳ５５およびステップＳ５６の処理（編集空間７３における第１のユーザの処理）が並列して行われることになる。同様に、撮影処理、編集処理、および、ステップＳ５７における印刷処理のそれぞれが状況に応じて並列して行われる。
【０１８１】
上記に説明したように、本発明によれば、ユーザは、ステップＳ５２、ステップＳ５３、ステップＳ５５、およびステップＳ５６の処理において、それぞれの処理に予め用意された制限時間では不足してしまう場合、延長ボタン８８、または延長ボタン４４を操作することにより、延長可能回数の範囲内で、任意に時間を延長することができる。
【０１８２】
従って、例えば初めてゲームを行うユーザのような、写真シール自動販売機の操作手順に慣れていないユーザでも、操作手順を理解するための時間が不足しそうな場合、時間を延長して、充分に操作手順を理解して、遊戯を進行することができる。
【０１８３】
また、本発明によれば、ユーザは、制限時間を気にして遊戯を行うことになるため、写真シール自動販売機に備えられた機能（例えば、多彩な落書き機能）を、充分に活用して遊戯をすることが可能になる。結果的に、ユーザに、撮影結果や編集結果に満足させることができる。
【０１８４】
また、従来、２人以上の団体のユーザが写真シール自動販売機で遊戯を行う場合、あるユーザは、撮影結果に満足していても、他のユーザが撮影結果に満足していなかったり、あるユーザは、編集結果に満足していても、他のユーザが編集結果に満足していなかったりすることがあった。
【０１８５】
そのような場合、本発明のように、撮影処理の残り時間、または編集処理の残り時間を延長することにより、全ユーザが満足するまで、撮影と編集を行えるようになる。
【０１８６】
また、従来の写真シール自動販売機は、最初に撮影モードを決定した後に、撮影モードを変更することができなかったため、実際に撮影処理、または編集処理を行っている最中に、時間が不足してしまうことがあった。結果的に、ユーザは満足な撮影、および編集を行えないことがあった。それに対して、本発明のように、実際に撮影処理、または編集処理を行っている最中に時間が不足しそうな場合、時間を延長させることができるようにすることにより、ユーザは、満足な撮影、および編集を行えるようになる。
【０１８７】
以上のような、顧客応対処理を実現するために、ＣＰＵ１３１は、図８のステップＳ５２、ステップＳ５３、ステップＳ５５、およびステップＳ５６のそれぞれの制限時間（残り時間）を制御すると共に、顧客応対処理全体を通して、延長可能回数を管理、制御している。
【０１８８】
次に、写真シール自動販売機１の時間制御処理、すなわち、図８のステップＳ５２、ステップＳ５３、ステップＳ５５、およびステップＳ５６のそれぞれの制限時間（残り時間）の制御について、図２０のフローチャートを参照して説明する。また、写真シール自動販売機１の延長可能回数制御処理、すなわち、延長可能な回数の制御処理について、図２５のフローチャートを参照して説明する。
【０１８９】
まず、写真シール自動販売機１の時間制御処理について説明する。なお、ＣＰＵ１３１は、図２０の時間制御処理の処理を、図８の顧客応対処理と平行して実行する。すなわち、ＣＰＵ１３１は、図２０の時間制御処理に基づいて、図８の顧客応対処理におけるステップＳ５２、ステップＳ５３、ステップＳ５５、およびステップＳ５６の各処理の制限時間を制御している。
【０１９０】
図２０のステップＳ２０１において、ＣＰＵ１３１は、撮影モード選択受付時間制御処理を実行する。図２１のフローチャートを参照して、撮影モード選択受付時間制御処理について、詳細に説明する。
【０１９１】
ステップＳ２３１において、ＣＰＵ１３１は、撮影モードの選択受付処理（図８のステップＳ５２）が開始されるまで待機し、撮影モードの選択受付処理が開始されたとき、ステップＳ２３２に進む。ステップＳ２３２において、ＣＰＵ１３１は、撮影モード選択の残り時間（予め設定された制限時間。例えば、２０秒）のカウントダウンを開始する。このカウントダウンに従って、図９の残り時間表示欄２０３に表示されている残り時間もカウントダウンしてゆく。ステップＳ２３３において、ＣＰＵ１３１は、延長ボタン８８からの操作信号の有無に基づいて、延長ボタン８８が操作されたか否かを判定し、延長ボタン８８が操作された場合、ステップＳ２３４に進む。
【０１９２】
ステップＳ２３４において、ＣＰＵ１３１は、延長可能回数が０回であるか否かを判定し、延長可能回数が０回ではない場合、ステップＳ２３５に進む。なお、延長可能回数は、延長可能回数表示欄２０１に表示されている延長アイテム２０２の個数と同一である。延長可能回数の制御については、図２５のフローチャートを参照して後述する。
【０１９３】
ステップＳ２３５において、ＣＰＵ１３１は、カウントダウン中の残り時間に１５を足し算して、残り時間を延長する。
【０１９４】
ステップＳ２３３において、ＣＰＵ１３１が、延長ボタン８８が操作されていないと判定した場合、ステップＳ２３４およびステップＳ２３５の処理はスキップされ、処理はステップＳ２３６に進む。また、ステップＳ２３４において、ＣＰＵ１３１が、延長可能回数が０回であると判定した場合、ステップＳ２３５の処理はスキップされ、処理はステップＳ２３６に進む。
【０１９５】
ステップＳ２３６において、ＣＰＵ１３１は、操作パネル１７のマルボタン８５が操作されたか否かを判定することにより、撮影モードが決定されたか否かを判定し、撮影モードが決定されていない（操作パネル１７のマルボタン８５が操作されていない）場合、処理はステップＳ２３７に進む。ステップＳ２３７において、ＣＰＵ１３１は、制限時間が経過したか否か（ステップＳ２３２でカウントダウンを開始した残り時間が０秒になったか否か）を判定し、制限時間が経過していない（ステップＳ２３２でカウントダウンを開始した残り時間が０秒になっていない場合）、処理はステップＳ２３３に戻り、ステップＳ２３３以降の処理を繰り返し実行する。
【０１９６】
ステップＳ２３７において、ＣＰＵ１３１が、制限時間が経過した（ステップＳ２３２でカウントダウンを開始した残り時間が０秒になった）と判定した場合、処理はステップＳ２３８に進む。
【０１９７】
ステップＳ２３８において、ＣＰＵ１３１は、図９のような撮影モード選択画面で、カーソルが合わせられている撮影モードを選択する。すなわち、既に上記したように、図９の画面において、ユーザは、左ボタン８２と右ボタン８３を操作して、撮影モード選択ボタン２０４−１および２０４−２のいずれかにカーソルを合わせ、マルボタン８５を操作して、カーソルが合わせられているほうの撮影モード選択ボタンに決定するようになっている。しかしながら、中には、いつまでもマルボタン８５を操作しようとしないユーザがいる。そこで、残り時間が０秒になってもユーザが撮影モードを決定しない場合、ＣＰＵ１３１が、カーソルが合わせられている撮影モードに決定し（ステップＳ２３８）、次の処理に進むことができる。
【０１９８】
ステップＳ２３８の処理の後、処理はステップＳ２３９に進む。
【０１９９】
ステップＳ２３６において、ＣＰＵ１３１が、撮影モードが決定された（マルボタン８５が操作された）と判定した場合、ステップＳ２３７およびステップＳ２３８の処理はスキップされ、処理はステップＳ２３９に進む。この場合、マルボタン８５が操作された時点で、カーソルが合わせられていた撮影モード選択ボタン２０４に、撮影モードが決定される。
【０２００】
ステップＳ２３９において、ＣＰＵ１３１は、図８のステップＳ５２の撮影モードの選択受付を終了させる（よって、図８のフローチャートにおいては、処理はステップＳ５３に進む）。
【０２０１】
以上で、撮影モード選択受付時間制御処理が終了すると、次に処理は図２０のステップＳ２０２に進む。
【０２０２】
なお、図２１のステップＳ２３３において、ＣＰＵ１３１が、延長ボタン８８が操作されたと判定した場合、撮影用モニタ１６に、「時間を延長しますか？　○ボタンと×ボタンで決めてね」のような確認画面を表示させ、ユーザがマルボタン８５を操作した場合、ステップＳ２３４に進み、ユーザがバツボタン８６を操作した場合、ステップＳ２３６に進むようにしても良い。
【０２０３】
図２０のステップＳ２０２において、ＣＰＵ１３１は、撮影時間制御処理を実行する。図２２のフローチャートを参照して、ステップＳ２０２の処理について詳細に説明する。
【０２０４】
図２２のステップＳ２６１において、ＣＰＵ１３１は、撮影処理（図８のステップＳ５３）が開始されるまで待機し、撮影処理が開始されたとき、ステップＳ２６２に進む。ステップＳ２６２において、ＣＰＵ１３１は、撮影処理の残り時間（予め設定された制限時間。例えば、７０秒）のカウントダウンを開始する。このカウントダウンに従って、図１０乃至図１４の残り時間表示欄２０３に表示されている残り時間もカウントダウンしてゆく。ステップＳ２６３において、ＣＰＵ１３１は、延長ボタン８８からの操作信号の有無に基づいて、延長ボタン８８が操作されたか否かを判定し、延長ボタン８８が操作された場合、ステップＳ２６４に進む。
【０２０５】
ステップＳ２６４において、ＣＰＵ１３１は、延長可能回数が０回であるか否かを判定し、延長可能回数が０回ではない場合、ステップＳ２６５に進む。なお、延長可能回数は、延長可能回数表示欄２０１に表示されている延長アイテム２０２の個数と同一である。延長可能回数の制御については、図２５のフローチャートを参照して後述する。
【０２０６】
ステップＳ２６５において、ＣＰＵ１３１は、カウントダウン中の残り時間に１５を足し算して、残り時間を延長する。
【０２０７】
ステップＳ２６３において、ＣＰＵ１３１が、延長ボタン８８が操作されていないと判定した場合、ステップＳ２６４およびステップＳ２６５の処理はスキップされ、処理はステップＳ２６６に進む。また、ステップＳ２６４において、ＣＰＵ１３１が、延長可能回数が０回であると判定した場合、ステップＳ２６５の処理はスキップされ、処理はステップＳ２６６に進む。
【０２０８】
ステップＳ２６６において、ＣＰＵ１３１は、操作パネル１７の撮影終了ボタン８７が操作されたか否かを判定することにより、撮影処理の終了が指示されたか否かを判定し、撮影終了ボタン８７が操作されていない場合、処理はステップＳ２６７に進む。ステップＳ２６７において、ＣＰＵ１３１は、残り撮影可能枚数が０枚となったか否かを判定し、残り撮影可能枚数が０枚となっていない場合、処理はステップＳ２６８に進む。ステップＳ２６８において、ＣＰＵ１３１は、制限時間が経過したか否か（ステップＳ２６２でカウントダウンを開始した残り時間が０秒になったか否か）を判定し、制限時間が経過していない（ステップＳ２６２でカウントダウンを開始した残り時間が０秒になっていない）場合、処理はステップＳ２６３に戻り、ステップＳ２６３以降の処理を繰り返し実行する。
【０２０９】
ステップＳ２６８において、ＣＰＵ１３１が、制限時間が経過した（ステップＳ２６２でカウントダウンを開始した残り時間が０秒になった）と判定した場合、処理はステップＳ２６９に進む。
【０２１０】
ステップＳ２６９において、ＣＰＵ１３１は、被写体の撮影が行われている最中である（撮影用モニタ１６に図１２の画面が表示されている）か否かを判定し、被写体の撮影が行われている最中である場合、処理はステップＳ２７０に進む。ステップＳ２７０において、ＣＰＵ１３１は、ＣＣＤ２１により取り込まれている映像をキャプチャして得られた静止画像を、編集用の画像として記憶部１３６に記憶させる。この場合、ＣＰＵ１３１は、図１３および図１４の画面を撮影用モニタ１６に表示させない。すなわち、キャプチャされた静止画像は、自動的に編集用の画像として記憶部１３６に記憶され、明るさの調整は受け付けられない。このようにすることにより、撮影処理の残り時間が０秒になったタイミングで、ちょうど、ユーザが自らを撮影していた場合、撮影処理の制限時間は超過しているが、ユーザは、その画像を編集用の画像として採用することができる。また、図１３および図１４の画面を表示させないことにより、写真シール自動販売機１は、撮影処理の制限時間からの超過分を最小限に抑えることができる。
【０２１１】
なお、撮影用モニタ１６に図１２の画面を表示させている最中に、残り時間表示欄２０３に表示された残り時間が０秒になった場合、強制的に撮影処理を終了させるようにしても良い。
【０２１２】
ステップＳ２６６において、ＣＰＵ１３１が、撮影終了ボタン８７が操作されたと判定した場合、ステップＳ２６７乃至ステップＳ２７０の処理はスキップされ、処理はステップＳ２７１に進む。
【０２１３】
ステップＳ２６７において、ＣＰＵ１３１が、残り撮影可能枚数が０枚になったと判定した場合、ステップＳ２６８乃至ステップＳ２７０の処理はスキップされ、処理はステップＳ２７１に進む。
【０２１４】
ステップＳ２７１において、ＣＰＵ１３１は、図８のステップＳ５３の撮影処理を終了させる（よって、図８のフローチャートにおいては、処理はステップＳ５４に進む）。
【０２１５】
以上で、撮影時間制御処理が終了されると、次に処理は図２０のステップＳ２０３に進む。
【０２１６】
なお、図２２のステップＳ２６３において、ＣＰＵ１３１が、延長ボタン８８が操作されたと判定した場合、撮影用モニタ１６に、「時間を延長しますか？　○ボタンと×ボタンで決めてね」のような確認画面を表示させ、ユーザがマルボタン８５を操作した場合、ステップＳ２６４に進み、ユーザがバツボタン８６を操作した場合、ステップＳ２６６に進むようにしても良い。
【０２１７】
図２０のステップＳ２０３において、ＣＰＵ１３１は、編集時間制御処理を実行する。図２３のフローチャートを参照して、ステップＳ２０３の処理について詳細に説明する。
【０２１８】
図２３のステップＳ３０１において、ＣＰＵ１３１は、編集処理（図８のステップＳ５５）が開始されるまで待機し、編集処理が開始されたとき、ステップＳ３０２に進む。ステップＳ３０２において、ＣＰＵ１３１は、編集処理の残り時間（予め設定された制限時間。例えば、１００秒）のカウントダウンを開始する。このカウントダウンに従って、図１８の残り時間表示欄２０３に表示されている残り時間もカウントダウンしてゆく。ステップＳ３０３において、ＣＰＵ１３１は、延長ボタン４４からの操作信号の有無に基づいて、延長ボタン４４が操作されたか否かを判定し、延長ボタン４４が操作された場合、ステップＳ３０４に進む。
【０２１９】
ステップＳ３０４において、ＣＰＵ１３１は、延長可能回数が０回であるか否かを判定し、延長可能回数が０回ではない場合、ステップＳ３０５に進む。なお、延長可能回数は、延長可能回数表示欄２０１に表示されている延長アイテム２０２の個数と同一である。延長可能回数の制御については、図２５のフローチャートを参照して後述する。
【０２２０】
ステップＳ３０５において、ＣＰＵ１３１は、カウントダウン中の残り時間に１５を足し算して、残り時間を延長する。
【０２２１】
ステップＳ３０３において、ＣＰＵ１３１が、延長ボタン４４が操作されていないと判定した場合、ステップＳ３０４およびステップＳ３０５の処理はスキップされ、処理はステップＳ３０６に進む。また、ステップＳ３０４において、ＣＰＵ１３１が、延長可能回数が０回であると判定した場合、ステップＳ３０５の処理はスキップされ、処理はステップＳ３０６に進む。
【０２２２】
ステップＳ３０６において、ＣＰＵ１３１は、図１８の終了ボタン３１３が、タッチペン４３により操作されたか否かを判定することにより、編集処理の終了が指示されたか否かを判定し、終了ボタン３１３が操作されていない場合、処理はステップＳ３０７に進む。なお、終了ボタン３１３は、編集用モニタ４１−１および４１−２の両方に表示されている。本実施の形態においては、ステップＳ３０６で、編集用モニタ４１−１および４１−２のうち、いずれかの編集用モニタに表示された終了ボタン３１３が操作された場合、ＣＰＵ１３１は、終了ボタン３１３が操作されたと判定する。
【０２２３】
ステップＳ３０７において、ＣＰＵ１３１は、制限時間が経過したか否か（ステップＳ３０２でカウントダウンを開始した残り時間が０秒になったか否か）を判定し、制限時間が経過していない（ステップＳ３０２でカウントダウンを開始した残り時間が０秒になっていない）場合、処理はステップＳ３０３に戻り、ステップＳ３０３以降の処理を繰り返し実行する。
【０２２４】
ステップＳ３０７において、ＣＰＵ１３１が、制限時間が経過した（ステップＳ３０２でカウントダウンを開始した残り時間が０秒になった）と判定した場合、処理はステップＳ３０８に進む。
【０２２５】
ステップＳ３０８において、ＣＰＵ１３１は、編集用モニタ４１における編集操作の受け付けを終了し、その時点で、ＲＡＭ１３３に記憶されている編集操作（落書き）に対応する線、文字、およびスタンプなどを書き込んだ画像データを編集済み画像として、記憶部１３６に記憶させる。ステップＳ３０８の処理の後、処理はステップＳ３０９に進む。
【０２２６】
ステップＳ３０６において、ＣＰＵ１３１が、終了ボタン３１３が、タッチペン４３により操作されたと判定した場合、ステップＳ３０７およびステップＳ３０８の処理はスキップされ、処理はステップＳ３０９に進む。この場合、ＣＰＵ１３１は、終了ボタン３１３がタッチペン４３により操作されたと判定した時点でＲＡＭ１３３に記憶されている、編集操作（落書き）に対応する線、文字、およびスタンプなどを書き込んだ画像データを、編集済み画像として記憶部１３６に記憶させる。
【０２２７】
ステップＳ３０９において、ＣＰＵ１３１は、図８のステップＳ５５の編集処理を終了させる（よって、図８のフローチャートにおいては、処理はステップＳ５６に進む）。
【０２２８】
以上で、編集時間制御処理が終了されると、次に処理は図２０のステップＳ２０４に進む。
【０２２９】
なお、図２３のステップＳ３０３において、ＣＰＵ１３１が、延長ボタン４４が操作されたと判定した場合、編集用モニタ４１に、「時間を延長しますか？　○ボタンと×ボタンで決めてね」のような確認画面を表示させ、ユーザがマルボタン８５を操作した場合、ステップＳ３０４に進み、ユーザがバツボタン８６を操作した場合、ステップＳ３０６に進むようにしても良い。
【０２３０】
図２０のステップＳ２０４において、ＣＰＵ１３１は、シール分割数選択受付時間制御処理を実行する。図２４のフローチャートを参照して、ステップＳ２０４の処理について詳細に説明する。
【０２３１】
図２４のステップＳ３３１において、ＣＰＵ１３１は、シール分割数選択受付処理（図８のステップＳ５６）が開始されるまで待機し、シール分割数選択受付処理が開始されたとき、ステップＳ３３２に進む。ステップＳ３３２において、ＣＰＵ１３１は、シール分割数選択受付処理の残り時間（予め設定された制限時間。例えば、２０秒）のカウントダウンを開始する。このカウントダウンに従って、図１９の残り時間表示欄２０３に表示されている残り時間もカウントダウンしてゆく。ステップＳ３３３において、ＣＰＵ１３１は、延長ボタン４４からの操作信号の有無に基づいて、延長ボタン４４が操作されたか否かを判定し、延長ボタン４４が操作された場合、ステップＳ３３４に進む。
【０２３２】
ステップＳ３３４において、ＣＰＵ１３１は、延長可能回数が０回であるか否かを判定し、延長可能回数が０回ではない場合、ステップＳ３３５に進む。なお、延長可能回数は、延長可能回数表示欄２０１に表示されている延長アイテム２０２の個数と同一である。延長可能回数の制御については、図２５のフローチャートを参照して後述する。
【０２３３】
ステップＳ３３５において、ＣＰＵ１３１は、カウントダウン中の残り時間に１５を足し算して、残り時間を延長する。その後、処理はステップＳ３３６に進む。
【０２３４】
ステップＳ３３３において、ＣＰＵ１３１が、延長ボタン４４が操作されていないと判定した場合、ステップＳ３３４およびステップＳ３３５の処理はスキップされ、処理はステップＳ３３６に進む。また、ステップＳ３３４において、ＣＰＵ１３１が、延長可能回数が０回であると判定した場合、ステップＳ３３５の処理はスキップされ、処理はステップＳ３３６に進む。
【０２３５】
ステップＳ３３６において、ＣＰＵ１３１は、図１９の決定ボタン３５２が、タッチペン４３−１により操作されたか否かを判定することにより、シール分割数が決定されたか否かを判定し、決定ボタン３５２が操作されていない場合、処理はステップＳ３３７に進む。ステップＳ３３７において、ＣＰＵ１３１は、制限時間が経過したか否か（ステップＳ３３２でカウントダウンを開始した残り時間が０秒になったか否か）を判定し、制限時間が経過していない（ステップＳ３３２でカウントダウンを開始した残り時間が０秒になっていない）場合、処理はステップＳ３３３に戻り、ステップＳ３３３以降の処理を繰り返し実行する。
【０２３６】
ステップＳ３３７において、ＣＰＵ１３１が、制限時間が経過した（ステップＳ３３２でカウントダウンを開始した残り時間が０秒になった）と判定した場合、処理はステップＳ３３８に進む。
【０２３７】
ステップＳ３３８において、ＣＰＵ１３１は、図１９のようなシール分割数選択画面で、カーソルが合わせられている分割数を選択する。すなわち、既に上記したように、図１９の画面において、ユーザは、タッチペン４３−１により分割数選択ボタン３５１−１乃至３５１−６のいずれかにカーソルを合わせ、決定ボタン３５２を操作して、カーソルが合わせられている分割数選択ボタンに決定するようになっている。しかしながら、中には、いつまでも決定ボタン３５２を操作しようとしないユーザがいる。そこで、残り時間が０秒になってもユーザが分割数を決定しない場合、ＣＰＵ１３１が、カーソルが合わせられている分割数に決定し（ステップＳ３３８）、次の処理に進むことができる。ステップＳ３３８の処理の後、処理はステップＳ３３９に進む。
【０２３８】
ステップＳ３３６において、ＣＰＵ１３１が、決定ボタン３５２が、タッチペン４３−１により操作されたと判定した場合、ステップＳ３３７およびステップＳ３３８の処理はスキップされ、処理はステップＳ３３９に進む。この場合、ＣＰＵ１３１は、決定ボタン３５２がタッチペン４３−１により操作された時点でカーソルが合わせられていた分割数選択ボタンに対応する分割数に決定する。
【０２３９】
ステップＳ３３９において、ＣＰＵ１３１は、図８のステップＳ５６の編集処理を終了させる（よって、図８のフローチャートにおいては、処理はステップＳ５７に進む）。
【０２４０】
なお、図２４のステップＳ３３３において、ＣＰＵ１３１が、延長ボタン４４が操作されたと判定した場合、編集用モニタ４１に、「時間を延長しますか？　○ボタンと×ボタンで決めてね」のような確認画面を表示させ、ユーザがマルボタン８５を操作した場合、ステップＳ３３４に進み、ユーザがバツボタン８６を操作した場合、ステップＳ３３６に進むようにしても良い。
【０２４１】
以上で、シール分割数選択受付時間制御処理（図２０のステップＳ２０４）が終了されると、写真シール自動販売機１の時間制御処理が終了する。
【０２４２】
以上のようにして、写真シール自動販売機１は、撮影モードの選択の受付時間、撮影処理の時間、編集処理の時間、およびシール分割数の選択の受付時間を制御する。
【０２４３】
以上、図２０乃至図２４を参照して説明した時間制御処理によれば、ユーザは、操作中の任意のタイミングで延長ボタン８８または延長ボタン４４を操作して、制限時間（残り時間）を延長させることができる。
【０２４４】
なお、図２１の撮影モード選択受付時間制御処理においては、延長ボタン８８が操作された場合、撮影モード選択受付の残り時間が充分にあっても、時間を延長するようになされているが、延長ボタン８８が操作された時点で、撮影モード選択受付の残り時間が充分にあった場合、時間を延長しないようにすることもできる。この場合のＣＰＵ１３１の具体的な動作について下記に示す。
【０２４５】
ＣＰＵ１３１は、図２１のステップＳ２３３において、延長ボタン８８が操作されたと判定した後、撮影モード選択受付処理の残り時間が、予め設定された所定の時間（例えば１０秒）以上であるか否かを判定する。そして、ＣＰＵ１３１が、撮影モード選択受付処理の残り時間が、予め設定された所定の時間（例えば１０秒）以上であると判定した場合、ステップＳ２３４およびステップＳ２３５の処理はスキップして、ステップＳ２３６に進む。結果的に、延長ボタン８８が操作されても、残り時間（制限時間）は延長されない。一方、ＣＰＵ１３１が、撮影モード選択受付処理の残り時間が、予め設定された所定の時間（例えば１０秒）以上ではない（所定の時間未満である）と判定した場合、処理はステップＳ２３４に進み、ステップＳ２３４以降の処理を実行する。従って、この場合、延長可能回数が０回でなければ、残り時間（制限時間）が延長される。
【０２４６】
以上のようにしてもよい。
【０２４７】
同様に、図２２の撮影時間制御処理においては、延長ボタン８８が操作された場合、撮影処理の残り時間が充分にあっても、時間を延長するようになされているが、延長ボタン８８が操作された時点で、撮影処理の残り時間が充分にあった場合、時間を延長しないようにすることもできる。この場合のＣＰＵ１３１の具体的な動作について下記に示す。
【０２４８】
ＣＰＵ１３１は、図２２のステップＳ２６３において、延長ボタン８８が操作されたと判定した後、撮影処理の残り時間が、予め設定された所定の時間（例えば１０秒）以上であるか否かを判定する。そして、ＣＰＵ１３１が、撮影処理の残り時間が、予め設定された所定の時間（例えば１０秒）以上であると判定した場合、ステップＳ２６４およびステップＳ２６５の処理はスキップして、ステップＳ２６６に進む。結果的に、延長ボタン８８が操作されても、残り時間（制限時間）は延長されない。一方、ＣＰＵ１３１が、撮影処理の残り時間が、予め設定された所定の時間（例えば１０秒）以上ではない（所定の時間未満である）と判定した場合、処理はステップＳ２６４に進み、ステップＳ２６４以降の処理を実行する。従って、この場合、延長可能回数が０回でなければ、残り時間（制限時間）が延長される。
【０２４９】
さらに同様に、図２３の編集時間制御処理においては、延長ボタン４４が操作された場合、編集処理の残り時間が充分にあっても、時間を延長するようになされているが、延長ボタン４４が操作された時点で、編集処理の残り時間が充分にあった場合、時間を延長しないようにすることもできる。この場合のＣＰＵ１３１の具体的な動作について下記に示す。
【０２５０】
ＣＰＵ１３１は、図２３のステップＳ３０３において、延長ボタン４４が操作されたと判定した後、編集処理の残り時間が、予め設定された所定の時間（例えば１０秒）以上であるか否かを判定する。そして、ＣＰＵ１３１が、編集処理の残り時間が、予め設定された所定の時間（例えば１０秒）以上であると判定した場合、ステップＳ３０４およびステップＳ３０５の処理はスキップして、ステップＳ３０６に進む。結果的に、延長ボタン４４が操作されても、残り時間（制限時間）は延長されない。一方、ＣＰＵ１３１が、編集処理の残り時間が、予め設定された所定の時間（例えば１０秒）以上ではない（所定の時間未満である）と判定した場合、処理はステップＳ３０４に進み、ステップＳ３０４以降の処理を実行する。従って、この場合、延長可能回数が０回でなければ、残り時間（制限時間）が延長される。
【０２５１】
同様に、図２４のシール分割数選択受付時間制御処理においては、延長ボタン４４が操作された場合、シール分割数選択受付処理の残り時間が充分にあっても、時間を延長するようになされているが、延長ボタン４４が操作された時点で、シール分割数選択受付処理の残り時間が充分にあった場合、時間を延長しないようにすることもできる。この場合のＣＰＵ１３１の具体的な動作について下記に示す。
【０２５２】
ＣＰＵ１３１は、図２４のステップＳ３３３において、延長ボタン４４が操作されたと判定した後、シール分割数選択受付処理の残り時間が、予め設定された所定の時間（例えば１０秒）以上であるか否かを判定する。そして、ＣＰＵ１３１が、シール分割数選択受付処理の残り時間が、予め設定された所定の時間（例えば１０秒）以上であると判定した場合、ステップＳ３３４およびステップＳ３３５の処理はスキップして、ステップＳ３３６に進む。結果的に、延長ボタン４４が操作されても、残り時間（制限時間）は延長されない。一方、ＣＰＵ１３１が、シール分割数選択受付処理の残り時間が、予め設定された所定の時間（例えば１０秒）以上ではない（所定の時間未満である）と判定した場合、処理はステップＳ３３４に進み、ステップＳ３３４以降の処理を実行する。従って、この場合、延長可能回数が０回でなければ、残り時間（制限時間）が延長される。
【０２５３】
以上のようにすることにより、延長ボタン８８または延長ボタン４４が操作された時点で、実行中の処理の残り時間が充分にあった場合、制限時間（残り時間）を延長しないようにすることができる。これにより、延長された制限時間（残り時間）をユーザに有効に利用させることが可能となる。
【０２５４】
すなわち、実行中の処理の残り時間が充分にある場合、ユーザは、各種の処理（例えば、撮影モードの選択、自らの撮影、編集操作の入力、またはシール分割数の選択）を、比較的時間をかけてゆっくり行う。従って、実行中の処理の残り時間が充分にある場合に制限時間を延長させても、ユーザは、延長させた時間を有効に使用せず、無駄に浪費してしまう傾向がある。
【０２５５】
それに対して、実行中の処理の残り時間が少ない（例えば１０秒未満）の場合、ユーザは、残り時間を有効に使用して、各種の処理を実行する傾向がある。
【０２５６】
従って、上記したように、実行中の処理の残り時間が充分にある場合、制限時間（残り時間）の延長をできないようにし、実行中の処理の残り時間が少なくなった場合、制限時間（残り時間）を延長できるようにすることにより、ユーザに、延長された時間を、より有効に利用させることができる。
【０２５７】
なお、延長ボタン４４および延長ボタン８８に電球を内蔵させておき、各処理の残り時間が、予め設定された所定の時間（例えば１０秒）未満になり、制限時間（残り時間）の延長が可能になった場合、延長ボタンに内蔵された電球を点灯（点滅）させることにより、ユーザに、制限時間（残り時間）を延長可能である旨を通知するようにすることが可能である。また、図３１乃至図３８を参照して後述する画面が、撮影用モニタ１６または編集用モニタ４１に表示されていた場合、各処理の残り時間が、予め設定された所定の時間（例えば１０秒）以上で、制限時間（残り時間）の延長が不可能なとき、延長ボタンを表示させず、各処理の残り時間が、予め設定された所定の時間（例えば１０秒）未満になり、制限時間（残り時間）の延長が可能になったとき、延長ボタンを表示させるようにすることが可能である。
【０２５８】
ところで、図２１のステップＳ２３４、図２２のステップＳ２６４、図２３のステップＳ３０４、および図２４のステップＳ３３４の処理において、ＣＰＵ１３１は、延長可能回数が０回であるか否かを判定している。この延長可能回数とは、延長可能回数表示欄２０１に表示されている延長アイテム２０２の個数と同一であり、ユーザが、残り時間を延長させることができる回数を表している。
【０２５９】
次に、図２５のフローチャートを参照して、写真シール自動販売機１の延長可能回数制御処理について説明する。
【０２６０】
なお、上記したように、写真シール自動販売機１は、図８に示される顧客応対処理を、記載された順序に従って時系列的に行うだけでなく、そのときの写真シール自動販売機１の利用状況に応じて並列的にも実行する。例えば、第１のユーザが撮影空間６２において撮影を終了させ、編集空間７３に移動した後、第１のユーザが編集空間７３で画像の編集を行っている最中に、第２のユーザが撮影空間６２において撮影を開始した場合、図８のステップＳ５２およびステップＳ５３の処理（撮影空間６２における第２のユーザの処理）とステップＳ５５およびステップＳ５６の処理（編集空間７３における第１のユーザの処理）が並列して行われる。
【０２６１】
従って、ＣＰＵ１３１は、図２５の延長可能回数制御処理を、第１のユーザと、第２のユーザ、それぞれに対応して独立して実行する。以下の説明においては、あるユーザ（ユーザＡとする）に対する延長可能回数制御処理を例にして説明する。
【０２６２】
ステップＳ３６１において、ＣＰＵ１３１は、硬貨処理部９２から、代金の投入が通知されるまで待機し、代金が投入された場合、処理はステップＳ３６２に進む。なお、ステップＳ３６１の処理は、図８のステップＳ５１と同一の処理である。すなわち、ＣＰＵ１３１は、ステップＳ５１で代金が投入されたと判定したとき、ステップＳ３６１においても、代金が投入されたと判定する。
【０２６３】
ステップＳ３６２において、ＣＰＵ１３１は、延長可能回数の初期値を設定し、ＲＡＭ１３３に記憶させる。本実施の形態においては、例として、延長可能回数の初期値ｎ＝４を設定するものとする。なお、このことは、延長可能回数が４回に限定されることを意味するものではない。延長可能回数は、写真シール自動販売機１の製造者、または管理者が、予め任意の正の整数に設定することが可能である。延長可能回数ｎ＝４が設定されたとき、延長可能回数表示欄２０１には、４個の延長アイテム２０２が表示される。
【０２６４】
ステップＳ３６３において、ＣＰＵ１３１は、ユーザＡに対応する顧客応対処理において、延長ボタン８８、または延長ボタン４４が操作されたか否かを判定し、延長ボタン８８、または延長ボタン４４が操作された場合、ステップＳ３６４に進む。すなわち、ユーザＡが、ステップＳ５２またはステップＳ５３の処理を実行中である場合、ＣＰＵ１３１は、延長ボタン８８が操作されたか否かを判定し、延長ボタン８８が操作された場合、ステップＳ３６４に進む。また、ユーザＡがステップＳ５５またはステップＳ５６の処理を実行中である場合、ＣＰＵ１３１は、延長ボタン４４が操作されたか否かを判定し、延長ボタン４４が操作された場合、ステップＳ３６４に進む。なお、ステップＳ３６３の処理は、図２１のステップＳ２３３、図２２のステップＳ２６３、図２３のステップＳ３０３、および図２４のステップＳ３３３のいずれかの処理に対応している。
【０２６５】
すなわち、ユーザＡに対応する顧客応対処理の時間制御において、図２１のステップＳ２３３において、ＣＰＵ１３１が、延長ボタン８８が操作されたと判定した場合、または図２２のステップＳ２６３において、ＣＰＵ１３１が、延長ボタン８８が操作されたと判定した場合、または図２３のステップＳ３０３において、ＣＰＵ１３１が、延長ボタン４４が操作されたと判定した場合、または図２４のステップＳ３３３において、ＣＰＵ１３１が、延長ボタン４４が操作されたと判定した場合、ＣＰＵ１３１は、図２５のステップＳ３６３においても、延長ボタンが操作されたと判定し、処理はステップＳ３６４に進む。
【０２６６】
ステップＳ３６４において、ＣＰＵ１３１は、ＲＡＭ１３３に記憶させている延長可能回数を１だけデクリメントさせて、ＲＡＭ１３３の記憶を更新させる。そして、ＣＰＵ１３１は、ＲＡＭ１３３の記憶の更新に対応して、延長可能回数表示欄２０１に表示されている延長アイテム２０２の個数を、１つ減少させる。例えば、ＲＡＭ１３３に延長可能回数ｎ＝４が記憶されていた場合、ステップＳ３６４において、ＣＰＵ１３１は、ＲＡＭ１３３の記憶を、延長可能回数ｎ＝３に更新する。そして、ＣＰＵ１３１は、延長可能回数表示欄２０１に表示させている延長アイテム２０２の個数を、４個から３個に減少させる。その後、処理はステップＳ３６５に進む。
【０２６７】
ステップＳ３６３において、ＣＰＵ１３１が、延長ボタン８８、および延長ボタン４４のいずれも操作されてはいないと判定した場合、ステップＳ３６４の処理はスキップされ、処理はステップＳ３６５に進む。
【０２６８】
ステップＳ３６５において、ＣＰＵ１３１は、延長可能回数が０回（ＲＡＭ１３３に記憶されている延長可能回数ｎ＝０）であるか否かを判定し、延長可能回数が０回ではない（ＲＡＭ１３３に記憶されている延長可能回数ｎ＞０である）場合、処理はステップＳ３６３に戻り、ステップＳ３６３以降の処理を繰り返し実行する。
【０２６９】
ステップＳ３６５において、ＣＰＵ１３１が、延長可能回数が０回である（ＲＡＭ１３３に記憶されている延長可能回数ｎ＝０）と判定した場合、処理はステップＳ３６６に進む。
【０２７０】
ステップＳ３６６において、ＣＰＵ１３１は、ユーザＡに対する顧客応対処理における延長ボタン８８、または延長ボタン４４の操作を無効になるように自らを設定する。すなわち、ユーザＡが、ステップＳ５２、またはステップＳ５３の処理を実行中であれば、ＣＰＵ１３１は、ステップＳ３６６において、延長ボタン８８の操作を無効になるように自らを設定し、ユーザＡが、ステップＳ５５、またはステップＳ５６の処理を実行中であれば、ＣＰＵ１３１は、ステップＳ３６６において、延長ボタン４４の操作を無効になるように自らを設定する。これ以降、ＣＰＵ１３１は、無効になるように設定した延長ボタンが操作されても、残り時間を延長しない。
【０２７１】
なお、ユーザＡがステップＳ５２、またはステップＳ５３の処理を実行中に、ＣＰＵ１３１が、延長ボタン８８の操作を無効になるように自らを設定した場合、その後、ユーザＡが、ステップＳ５３の処理を終了し、ステップＳ５５の処理を開始した時点で、ＣＰＵ１３１は、延長ボタン８８の操作を有効になるように自らを設定しなおし、延長ボタン４４の操作を無効になるように自らを設定する。
【０２７２】
このようにすることにより、ユーザＡが、撮影空間６２において、延長アイテム２０２を使い切った場合、その後、ユーザＡが編集空間７３に移動した後も、延長ボタン４４により、制限時間を延長することができないようにすることができる。また、ユーザＡの後に、撮影空間６２でステップＳ５２およびステップＳ５３の処理を実行するユーザ（ユーザＢとする）は、延長ボタン８８を利用して、制限時間を延長させることができるようになる。
【０２７３】
ステップＳ３６６の処理の後、ステップＳ３６７において、ＣＰＵ１３１は、撮影用モニタ１６、または編集用モニタ４１に、例えば、図１７の案内表示２５１のように、代金の追加投入の案内を表示させる。ユーザは、この案内表示２５１により、代金を追加投入すれば、さらに延長可能であることを知ることができる。
【０２７４】
ステップＳ３６８において、ＣＰＵ１３１は、硬貨処理部９２からの、代金投入の通知の有無に基づいて、追加代金が投入されたか否かを判定し、追加代金が投入された場合、処理はステップＳ３６９に進む。
【０２７５】
ステップＳ３６９において、ＣＰＵ１３１は、延長可能回数を所定の値に設定し、ＲＡＭ１３３の記憶を更新する。例えば、ＣＰＵ１３１は、ＲＡＭ１３３に記憶されていた延長可能回数ｎ＝０を、ｎ＝４に更新する。また、ＣＰＵ１３１は、ステップＳ３６６で設定した、延長ボタン４４、または延長ボタン８８の操作を無効にする設定を解除し、これ以降、延長ボタン４４、または延長ボタン８８の操作を有効にする。また、ＣＰＵ１３１は、延長可能回数表示欄２０１に、延長アイテム２０２を４個、表示させる。その後、処理はステップＳ３６３に戻り、ステップＳ３６３以降の処理を繰り返し実行する。
【０２７６】
ステップＳ３６８において、ＣＰＵ１３１が、追加代金が投入されていないと判定した場合、処理はステップＳ３７０に進む。ステップＳ３７０において、ＣＰＵ１３１は、図８のステップＳ５６の処理、すなわち、シール分割数の選択の受付処理が終了したか否かを判定し、シール分割数の選択の受付処理が終了していない場合（すなわち、図８のステップＳ５２乃至ステップＳ５６のいずれかの処理を実行中の場合）、処理はステップＳ３６８に戻り、ステップＳ３６８以降の処理を繰り返し実行する。
【０２７７】
ステップＳ３７０において、ＣＰＵ１３１が、シール分割数の選択の受付処理が終了したと判定した場合、ＣＰＵ１３１は、延長可能回数制御処理を終了する。
【０２７８】
以上のようにして、ＣＰＵ１３１は、延長可能回数を制御する。
【０２７９】
なお、上記したように、写真シール自動販売機１においては、ユーザＡが編集空間７３でステップＳ５５またはステップＳ５６の処理を実行し、ユーザＢが撮影空間６２でステップＳ５２またはステップＳ５３の処理を実行する場合がある。この場合、ＣＰＵ１３１は、ユーザＡの延長可能回数、およびユーザＢの延長可能回数を、それぞれ、別々にＲＡＭ１３３に記憶させて管理している。
【０２８０】
ところで、以上の説明においては、例えば、前の処理において、残り時間が余った場合、その余り時間を次の処理にまわすことはしていない。例えば、撮影処理の残り時間が、図２６の残り時間表示欄２０３に示されるように、３２秒残った状態で、撮影処理が終了されても、その３２秒間は、次の編集処理の残り時間として加算されない。
【０２８１】
しかしながら、この余り時間を、次の処理に加算させるようにすることもできる。例えば、図２６に示されるように、３２秒間残った状態で、撮影処理が終了された場合、図２７に示されるように、延長可能回数表示欄２０１に表示される延長アイテム２０２の個数を増加させることにより、余り時間を次の処理に加算するようにしても良い。
【０２８２】
すなわち、図２６においては、延長アイテムは、延長アイテム２０２−１乃至２０２−４の合計４個、表示されている。そして、図２７においては、延長アイテムは、延長アイテム２０２−１乃至２０２−６の合計６個、表示されている。ＣＰＵ１３１は、撮影処理で余った残り時間３２秒を、１５で割り算した商と同数の延長アイテム２０２を、編集処理の延長可能回数表示欄２０１に追加させている。
【０２８３】
次に、図２８のフローチャートを参照して、上記のような余り時間の制御処理について説明する。
【０２８４】
図２８のステップＳ４０１において、ＣＰＵ１３１は、図８のステップＳ５２の撮影モードの選択の受付処理、同図８のステップＳ５３の撮影処理、または、同図８のステップＳ５５の編集処理が終了するまで待機し、図８のステップＳ５２の撮影モードの選択の受付処理、同図８のステップＳ５３の撮影処理、または、同図８のステップＳ５５の編集処理が終了した場合、処理はステップＳ４０２に進む。
【０２８５】
ステップＳ４０２において、ＣＰＵ１３１は、ステップＳ４０１で終了したと判定された処理（図８のステップＳ５２、ステップＳ５３、またはステップＳ５５）が、終了した時点での余り時間ｍ秒を取得する。例えば、ステップＳ５３の撮影処理が、図２６に示される画面が撮影用モニタ１６に表示されているときに終了された場合、ＣＰＵ１３１は、余り時間として、残り時間表示欄２０３に表示されている３２秒を、余り時間として取得する。
【０２８６】
ステップＳ４０３において、ＣＰＵ１３１は、ステップＳ４０２で取得した余り時間ｍを１５で割り算して、商ｘを算出する。例えば、ステップＳ４０２で、余り時間として３２秒が取得された場合、３２を１５で割り算して、商ｘ＝２を算出する。
【０２８７】
ステップＳ４０４において、ＣＰＵ１３１は、ステップＳ４０３で算出された商ｘを、延長可能回数に追加すべきとして決定する。
【０２８８】
以上のようにして、写真シール自動販売機１の余り時間制御処理が実行される。
【０２８９】
上記のように、余り時間を、以降の処理の延長アイテムに加算する場合の、写真シール自動販売機１の延長可能回数制御処理について、図２９および図３０のフローチャートを参照して説明する。
【０２９０】
なお、先に説明したように、写真シール自動販売機１は、例えば、第１のユーザが撮影空間６２において撮影を終了させ、編集空間７３に移動した後、第１のユーザが編集空間７３で画像の編集を行っている最中に、第２のユーザが撮影空間６２において撮影を開始した場合、図８のステップＳ５２およびステップＳ５３の処理（撮影空間６２における第２のユーザの処理）とステップＳ５５およびステップＳ５６の処理（編集空間７３における第１のユーザの処理）を並列して実行する。従って、ＣＰＵ１３１は、図２９および図３０の延長可能回数制御処理を、第１のユーザと、第２のユーザ、それぞれに対応して独立して実行する。以下の説明においては、あるユーザ（ユーザＡとする）に対する延長可能回数制御処理を例にして説明する。
【０２９１】
ステップＳ４３１において、ＣＰＵ１３１は、硬貨処理部９２から、代金の投入が通知されるまで待機し、代金が投入された場合、処理はステップＳ４３２に進む。なお、ステップＳ４３１の処理は、図８のステップＳ５１と同一の処理である。すなわち、ステップＳ５１でＣＰＵ１３１が代金が投入されたと判定したとき、ステップＳ４３１においても、代金が投入されたと判定する。
【０２９２】
ステップＳ４３２において、ＣＰＵ１３１は、延長可能回数の初期値を設定し、ＲＡＭ１３３に記憶させる。本実施の形態においては、例として、延長可能回数の初期値ｎ＝４を設定するものとする。延長可能回数ｎ＝４が設定されたとき、延長可能回数表示欄２０１には、４個の延長アイテム２０２が表示される。
【０２９３】
ステップＳ４３３において、ＣＰＵ１３１は、ユーザＡに対応する顧客応対処理において、延長ボタン８８、または延長ボタン４４が操作されたか否かを判定し、延長ボタン８８、および延長ボタン４４のいずれかが操作された場合、ステップＳ４３４に進む。すなわち、ユーザＡが、ステップＳ５２またはステップＳ５３の処理を実行中である場合、ＣＰＵ１３１は、延長ボタン８８が操作されたか否かを判定し、延長ボタン８８が操作された場合、ステップＳ４３４に進む。また、ユーザＡがステップＳ５５またはステップＳ５６の処理を実行中である場合、ＣＰＵ１３１は、延長ボタン４４が操作されたか否かを判定し、延長ボタン４４が操作された場合、ステップＳ４３４に進む。なお、ステップＳ４３３の処理は、図２１のステップＳ２３３、図２２のステップＳ２６３、図２３のステップＳ３０３、および図２４のステップＳ３３３のいずれかの処理に対応している。
【０２９４】
すなわち、ユーザＡに対応する顧客応対処理の時間制御において、図２１のステップＳ２３３において、ＣＰＵ１３１が、延長ボタン８８が操作されたと判定した場合、または図２２のステップＳ２６３において、ＣＰＵ１３１が、延長ボタン８８が操作されたと判定した場合、または図２３のステップＳ３０３において、ＣＰＵ１３１が、延長ボタン４４が操作されたと判定した場合、または図２４のステップＳ３３３において、ＣＰＵ１３１が、延長ボタン４４が操作されたと判定した場合、ＣＰＵ１３１は、図２５のステップＳ４３３においても、延長ボタンが操作されたと判定し、処理はステップＳ４３４に進む。
【０２９５】
ステップＳ４３４において、ＣＰＵ１３１は、ＲＡＭ１３３に記憶させている延長可能回数を１だけデクリメントさせて、ＲＡＭ１３３の記憶を更新させる。そして、ＣＰＵ１３１は、ＲＡＭ１３３の記憶の更新に対応して、延長可能回数表示欄２０１に表示されている延長アイテム２０２の個数を、１つ減少させる。例えば、ＲＡＭ１３３に延長可能回数ｎ＝４が記憶されていた場合、ステップＳ４３４において、ＣＰＵ１３１は、ＲＡＭ１３３の記憶を、延長可能回数ｎ＝３に更新する。そして、ＣＰＵ１３１は、延長可能回数表示欄２０１に表示させている延長アイテム２０２の個数を、４個から３個に減少させる。その後、処理はステップＳ４３５に進む。
【０２９６】
ステップＳ４３３において、ＣＰＵ１３１が、延長ボタン８８、および延長ボタン４４のいずれも操作されてはいないと判定した場合、ステップＳ４３４の処理はスキップされ、処理はステップＳ４３５に進む。
【０２９７】
ステップＳ４３５において、ＣＰＵ１３１は、図２８のフローチャートの余り時間制御処理の結果、延長可能回数の追加が決定されたか否か（商ｘが算出されたか否か）を判定し、延長可能回数の追加が決定された（商ｘが算出された）場合、処理はステップＳ４３６に進む。ステップＳ４３６において、ＣＰＵ１３１は、延長可能回数ｎに、図２８のフローチャートの余り時間制御処理により算出された商ｘを足し算する。すなわち、ＲＡＭ１３３に記憶されている延長可能回数ｎを、ｎ＋ｘとして、記憶を更新する。例えば、延長可能回数ｎ＝４がＲＡＭ１３３に記憶されている状態において、余り時間制御処理により商ｘ＝２が算出された場合、ステップＳ４３６において、ＣＰＵ１３１は、ｎ＋ｘ＝４＋２＝６で、ＲＡＭ１３３の記憶を更新する。結果的に、編集処理における延長可能回数が２個増加し、対応して、延長可能回数表示欄２０１に表示される延長アイテム２０２の個数も、図２７に示されるように、撮影処理の時より２個増加する。
【０２９８】
ステップＳ４３６の処理の後、処理はステップＳ４３３に戻り、ステップＳ４３３以降の処理を繰り返し実行する。
【０２９９】
ステップＳ４３５において、ＣＰＵ１３１が、図２８のフローチャートの余り時間制御処理により、延長可能回数の追加が決定されてはいない（商ｘが算出されてはいない）と判定した場合、処理はステップＳ４３７に進む。
【０３００】
ステップＳ４３７において、ＣＰＵ１３１は、延長可能回数が０回（ＲＡＭ１３３に記憶されている延長可能回数ｎ＝０）であるか否かを判定し、延長可能回数が０回ではない（ＲＡＭ１３３に記憶されている延長可能回数ｎ＞０である）場合、処理はステップＳ４３３に戻り、ステップＳ４３３以降の処理を繰り返し実行する。
【０３０１】
ステップＳ４３７において、ＣＰＵ１３１が、延長可能回数が０回である（ＲＡＭ１３３に記憶されている延長可能回数ｎ＝０）と判定した場合、処理は図３０のステップＳ４３８に進む。
【０３０２】
ステップＳ４３８において、ＣＰＵ１３１は、ユーザＡに対する顧客応対処理における延長ボタン８８、または延長ボタン４４の操作を無効になるように自らを設定する。すなわち、ユーザＡが、ステップＳ５２、またはステップＳ５３の処理を実行中であれば、ＣＰＵ１３１は、ステップＳ４３８において、延長ボタン８８の操作を無効になるように自らを設定し、ユーザＡが、ステップＳ５５、またはステップＳ５６の処理を実行中であれば、ＣＰＵ１３１は、ステップＳ４３８において、延長ボタン４４の操作を無効になるように自らを設定する。これ以降、ＣＰＵ１３１は、無効になるように設定した延長ボタンが操作されても、残り時間を延長しない。
【０３０３】
なお、ユーザＡがステップＳ５２、またはステップＳ５３の処理を実行中に、ＣＰＵ１３１が、延長ボタン８８の操作を無効になるように自らを設定した場合、その後、ユーザＡが、ステップＳ５３の処理を終了し、ステップＳ５５の処理を開始した時点で、ＣＰＵ１３１は、延長ボタン８８の操作を有効になるように自らを設定しなおし、延長ボタン４４の操作を無効になるように自らを設定する。
【０３０４】
このようにすることにより、ユーザＡが、撮影空間６２において、延長アイテム２０２を使い切った場合、その後、ユーザＡが編集空間７３に移動した後も、延長ボタン４４により、制限時間を延長することができないようにすることができる。また、ユーザＡの後に、撮影空間６２でステップＳ５２およびステップＳ５３の処理を実行するユーザ（ユーザＢとする）は、延長ボタン８８を利用して、制限時間を延長させることができるようになる。
【０３０５】
ステップＳ４３８の処理の後、ステップＳ４３９において、ＣＰＵ１３１は、撮影用モニタ１６、または編集用モニタ４１に、例えば、図１７の案内表示２５１のように、代金の追加投入の案内を表示させる。ユーザは、この案内表示２５１により、代金を追加投入すれば、さらに延長可能であることを知ることができる。
【０３０６】
ステップＳ４４０において、ＣＰＵ１３１は、硬貨処理部９２からの、代金投入の通知の有無に基づいて、追加代金が投入されたか否かを判定し、追加代金が投入された場合、処理はステップＳ４４１に進む。
【０３０７】
ステップＳ４４１において、ＣＰＵ１３１は、延長可能回数を所定の値に設定し、ＲＡＭ１３３の記憶を更新する。例えば、ＣＰＵ１３１は、ＲＡＭ１３３に記憶されていた延長可能回数ｎ＝０を、ｎ＝４に更新する。また、ＣＰＵ１３１は、ステップＳ４３８で設定した、延長ボタン４４、または延長ボタン８８の操作を無効にする設定を解除し、これ以降、延長ボタン４４、または延長ボタン８８の操作を有効にする。また、ＣＰＵ１３１は、延長可能回数表示欄２０１に延長アイテム２０２を４個、表示させる。その後、処理は図２９のステップＳ４３３に戻り、ステップＳ４３３以降の処理を繰り返し実行する。
【０３０８】
ステップＳ４４０において、ＣＰＵ１３１が、代金が投入されていないと判定した場合、処理はステップＳ４４２に進む。ステップＳ４４２において、ＣＰＵ１３１は、図２８のフローチャートの余り時間制御処理の結果、延長可能回数の追加が決定されたか否か（商ｘが算出されたか否か）を判定し、延長可能回数の追加が決定された（商ｘが算出された）場合、処理はステップＳ４４３に進む。ステップＳ４４３において、ＣＰＵ１３１は、延長可能回数ｎ＝０に、図２８のフローチャートの余り時間制御処理により算出された商ｘを足し算する。すなわち、ＲＡＭ１３３に記憶されている延長可能回数ｎ＝０を、０＋ｘとして、記憶を更新する。例えば、余り時間制御処理により商ｘ＝２が算出された場合、ステップＳ４４３において、ＣＰＵ１３１は、ｎ＋ｘ＝０＋２＝２で、ＲＡＭ１３３の記憶を更新する。結果的に、編集処理における延長可能回数が０回から２回になる。
【０３０９】
ステップＳ４４３の処理の後、処理は図２９のステップＳ４３３に戻り、ステップＳ４３３以降の処理を繰り返し実行する。
【０３１０】
ステップＳ４４２において、ＣＰＵ１３１が、図２８のフローチャートの余り時間制御処理により、延長可能回数の追加が決定されてはいない（商ｘが算出されてはいない）と判定した場合、処理はステップＳ４４４に進む。
【０３１１】
ステップＳ４４４において、ＣＰＵ１３１は、図８のステップＳ５６の処理、すなわち、シール分割数の選択の受付処理が終了したか否かを判定し、シール分割数の選択の受付処理が終了していない場合（すなわち、図８のステップＳ５２乃至ステップＳ５６のいずれかの処理を実行中の場合）、処理はステップＳ４４０に戻り、ステップＳ４４０以降の処理を繰り返し実行する。
【０３１２】
ステップＳ４４４において、ＣＰＵ１３１が、シール分割数の選択の受付処理が終了したと判定した場合、ＣＰＵ１３１は、延長可能回数制御処理を終了する。
【０３１３】
ある処理における余り時間を、それ以降の処理の延長可能回数に加算する場合、以上のようにして、ＣＰＵ１３１は延長可能回数を制御する。
【０３１４】
ところで、以上の説明においては、延長ボタン８８は、操作パネル１７上に配置されているが、延長を指示するボタンを、撮影モニタ１６上に表示するようにしても良い。また、延長ボタン４４も、同様に、編集用モニタ４１−１および４１−２上に表示するようにしても良い。
【０３１５】
例えば、図８のステップＳ５２において、図３１に示されるような画面を撮影モニタ１６上に表示させるようにしても良い。図３１においては、図９に示される画面に、さらに延長ボタン４０１が表示されている。ユーザは、左ボタン８２や右ボタン８３により、カーソルを移動させて、延長ボタン４０１にカーソルを合わせ、マルボタン８５を操作して、延長ボタン４０１を選択することができる。延長ボタン４０１が選択された場合、ＣＰＵ１３１は、延長ボタン８８が選択された場合と同様の処理を実行する。
【０３１６】
なお、図３１の画面を撮影用モニタ１６に表示している場合、ＣＰＵ１３１が、延長ボタン４０１が選択されたと判定した場合、撮影用モニタ１６に、「時間を延長しますか？　○ボタンと×ボタンで決めてね」のような確認画面を表示させ、ユーザがマルボタン８５を操作した場合、制限時間を延長させ、ユーザがバツボタン８６を操作した場合、制限時間を延長しないようにしても良い。
【０３１７】
これにより、ユーザが、誤って延長ボタン４０１を選択した場合にも、撮影モード選択受付処理の制限時間を延長しないようにすることができる。
【０３１８】
また、例えば図８のステップＳ５３において、図３２乃至図３６に示されるような画面を、撮影用モニタ１６に表示させるようにしても良い。図３２においては、図１０に示される画面に、さらに延長ボタン４１１と完了ボタン４１２が表示されている。ユーザは、プラスボタン８１やマイナスボタン８４により、カーソルを移動させて、延長ボタン４１１または完了ボタン４１２にカーソルを合わせ、マルボタン８５を操作して、延長ボタン４１１または完了ボタン４１２を選択することができる。延長ボタン４１１が選択された場合、ＣＰＵ１３１は、延長ボタン８８が選択された場合と同様の処理を実行する。また、完了ボタン４１２が選択された場合、ＣＰＵ１３１は、撮影終了ボタン８７が操作された場合と同様の処理を実行する。
【０３１９】
同様に、図３３においては、図１１に示される画面に、さらに延長ボタン４２１と完了ボタン４２２が表示され、図３４においては、図１２に示される画面に、さらに延長ボタン４３１と完了ボタン４３２が表示され、図３５においては、図１３に示される画面に、さらに延長ボタン４４１と完了ボタン４４２が表示され、図３６においては、図１４に示される画面に、さらに延長ボタン４５１と完了ボタン４５２が表示されている。
【０３２０】
ユーザは、プラスボタン８１やマイナスボタン８４により、カーソルを移動させて、延長ボタン４２１，４３１，４４１，４５１や完了ボタン４２２，４３２，４４２，４５２を選択することができる。延長ボタン４２１，４３１，４４１，４５１のうちいずれかの延長ボタンが選択された場合、ＣＰＵ１３１は、延長ボタン８８が選択された場合と同様の処理を実行する。また、完了ボタン４２２，４３２，４４２，４５２のうちいずれかの完了ボタンが選択された場合、ＣＰＵ１３１は、撮影終了ボタン８７が操作された場合と同様の処理を実行する。
【０３２１】
なお、図３２乃至図３６の画面のうちいずれかの画面を撮影用モニタ１６に表示している場合、ＣＰＵ１３１が、延長ボタン４１１，４２１，４３１，４４１，４５１のうちいずれかの延長ボタンが選択されたと判定した場合、撮影用モニタ１６に、「時間を延長しますか？　○ボタンと×ボタンで決めてね」のような確認画面を表示させ、ユーザがマルボタン８５を操作した場合、制限時間を延長させ、ユーザがバツボタン８６を操作した場合、制限時間を延長しないようにしても良い。
【０３２２】
これにより、ユーザが、誤って延長ボタン４１１，４２１，４３１，４４１，４５１を選択した場合にも、撮影処理の制限時間を延長しないようにすることができる。
【０３２３】
同様に、図３２乃至図３６の画面のうちいずれかの画面を撮影用モニタ１６に表示している場合、ＣＰＵ１３１が、完了ボタン４１２，４２２，４３２，４４２，４５２のうちいずれかの完了ボタンが選択されたと判定した場合、撮影用モニタ１６に、「撮影を完了しますか？　○ボタンと×ボタンで決めてね」のような確認画面を表示させ、ユーザがマルボタン８５を操作した場合、撮影処理を終了させ、ユーザがバツボタン８６を操作した場合、撮影処理を終了しないようにしても良い。
【０３２４】
これにより、ユーザが、誤って完了ボタン４１２，４２２，４３２，４４２，４５２を選択した場合にも、撮影処理を終了しないようにすることができる。
【０３２５】
さらに、図８のステップＳ５５において、図３７に示されるような画面を編集用モニタ４１上に表示させるようにしても良い。図３７においては、図１８に示される画面に、さらに延長ボタン４６１が表示されている。ユーザは、タッチペン４３で延長ボタン４６１にタッチすることにより、延長ボタン４６１を選択することができる。延長ボタン４６１が選択された場合、ＣＰＵ１３１は、延長ボタン４４が選択された場合と同様の処理を実行する。
【０３２６】
なお、図３７の画面を編集用モニタ４１に表示している場合、ＣＰＵ１３１が、延長ボタン４６１がタッチペン４３によりタッチされたと判定した場合、編集用モニタ４１に、「時間を延長しますか？　はい　いいえ」のような確認画面を表示させ、ユーザがタッチペン４３により「はい」にタッチした場合、制限時間を延長させ、ユーザがタッチペン４３により「いいえ」にタッチした場合、制限時間を延長しないようにしても良い。
【０３２７】
これにより、ユーザが、誤ってタッチペン４３で延長ボタン４６１にタッチした場合にも、編集処理の制限時間を延長しないようにすることができる。
【０３２８】
また、図８のステップＳ５６において、図３８に示されるような画面を編集用モニタ４１−１上に表示させるようにしても良い。図３８においては、図１９に示される画面に、さらに延長ボタン４７１が表示されている。ユーザは、タッチペン４３で延長ボタン４７１にタッチすることにより、延長ボタン４７１を選択することができる。延長ボタン４７１が選択された場合、ＣＰＵ１３１は、延長ボタン４４が選択された場合と同様の処理を実行する。
【０３２９】
なお、図３８の画面を編集用モニタ４１に表示している場合、ＣＰＵ１３１が、延長ボタン４７１がタッチペン４３によりタッチされたと判定した場合、編集用モニタ４１に、「時間を延長しますか？　はい　いいえ」のような確認画面を表示させ、ユーザがタッチペン４３により「はい」にタッチした場合、制限時間を延長させ、ユーザがタッチペン４３により「いいえ」にタッチした場合、制限時間を延長しないようにしても良い。
【０３３０】
これにより、ユーザが、誤ってタッチペン４３で延長ボタン４７１にタッチした場合にも、シール分割数選択受付処理の制限時間を延長しないようにすることができる。
【０３３１】
なお、図３１乃至図３８に示されている延長ボタン４０１，４１１，４２１，４３１，４４１，４５１，４６１，４７１は、常に表示させるようにしても良いし、延長可能回数が０回になった場合、表示しないようにしても良い。また、延長可能回数が０回の場合と、１回以上ある場合とで、異なる色で表示させるようにしても良い。また、延長可能回数が０回の場合に点滅させ、１回以上ある場合に点灯させるようにしても良い。その他、延長可能回数が０回の場合と、１回以上の場合で、延長ボタン４０１，４１１，４２１，４３１，４４１，４５１，４６１，４７１の表示を変化させるその他の方法を採用するようにしても良い。さらに、延長可能回数が２回以上の場合、延長ボタン４０１，４１１，４２１，４３１，４４１，４５１，４６１，４７１を青色で表示させ、延長可能回数が１回の場合、黄色で表示させ、延長可能回数が０回の場合、赤色で表示させるようにしても良い。
【０３３２】
ところで、撮影空間６２において、延長ボタン８８は、操作パネル１７上に配置されているが、延長ボタンは、操作パネル１７上以外の場所に設置するようにしても良い。例えば、図３９に示されるように、延長ボタン５０１を側面パネル６５−２の近傍に設けるようにしても良い。図３９は、図４と同様の視点から、写真シール自動販売機１の配置の例を見た図であり、図４と対応する部位には同一の符号が付されている。
【０３３３】
図３９に示されるように、延長ボタン５０１を、操作パネル１７上ではなく、背景パネル６１側に設けるようにすることにより、ユーザは、写真シール自動販売機１の筐体から離れてポーズを取り、自らを撮影している場合に時間を延長したいとき、近傍に設置されている延長ボタン５０１を押下することにより、時間を延長することができる。
【０３３４】
本発明の写真シール自動販売機１においては、以上に説明したようにして、制限時間を延長可能なようにすることにより、より多くのユーザに、満足の行く遊戯を提供することが可能となる。
【０３３５】
すなわち、従来、写真シール自動販売機における遊戯の中で、ユーザが行う操作は、撮影モードの選択、撮影、落書き（編集操作）、シール分割数の選択などがあるが、各操作には制限時間があり、操作に習熟していない初心者、または制限時間の表示を見ることで焦りを感じるユーザに対して、充分な操作環境を提供しているとは言えなかった。
【０３３６】
そこで、本発明の写真シール自動販売機１のように、制限時間を延長するための延長ボタン８８および延長ボタン４４を設けるようにし、残り時間が少なくなった場合、延長ボタン８８または延長ボタン４４の操作に応じて残り時間を延長させることにより、操作に習熟していない初心者や、制限時間の表示を見ることで焦りを感じるユーザにも、充分な操作環境を提供することが可能となる。結果的に、より多くのユーザに対して、満足の行く遊戯を提供することが可能となる。
【０３３７】
なお、以上に説明した本実施の形態においては、１回、延長ボタン４４、または延長ボタン８８を操作する毎に、１５秒間、残り時間が増加する場合を例にして説明しているが、このことは、本発明が、１回、延長ボタン４４、または延長ボタン８８を操作する毎に、１５秒間、残り時間を増加することに限定されることを意味するものではない。１回、延長ボタン４４、または延長ボタン８８を操作する毎に、増加させる残り時間は、写真シール自動販売機１の製造者、または管理者が任意に設定することが可能である。１回、延長ボタン４４、または延長ボタン８８を操作する毎に、増加させる残り時間は、例えば、１０秒、２０秒、または３０秒に設定するようにしても良い。
【０３３８】
また、以上に説明した本実施の形態においては、ステップＳ５３の撮影処理において、延長ボタン８８を操作すると、残り時間に１５秒が加算されているが、延長ボタン８８を操作した場合、残り時間に１５秒加算する代わりに、撮影回数を１回増加させるようにしても良い。すなわち、撮影処理においてユーザが撮影することができる回数は、予め設定されているが（本実施の形態においては、例として４回）、延長ボタン８８が操作されたとき、撮影回数を１回分増やす（例えば、予め撮影回数が４回に設定されていた場合、撮影回数を５回に増やす）ようにしても良い。このようにすることにより、ユーザは、より多くの画像を撮影することができる。なお、この場合も、延長ボタン８８を１回操作したとき、ＣＰＵ１３１は、延長可能回数表示欄２０１に表示される延長アイテム２０２を１個減少させる。また、この場合も、ステップＳ５２の撮影モード選択受付処理、ステップＳ５５の編集処理、およびステップＳ５６のシール分割数選択受付処理に関する制限時間の制御は、それぞれ、ステップＳ２０１、ステップＳ２０３、およびステップＳ２０４の処理と同様である。
【０３３９】
また、以上に説明した本実施の形態においては、延長可能回数表示欄２０１内に表示されている延長アイテム２０２は、全て「１５秒」と表示されているが、例えば、延長アイテム２０２−１内に「１５秒」と表示させ、延長アイテム２０２−２内に「３０秒」と表示させ、延長アイテム２０２−３内に「４５秒」と表示させ、延長アイテム２０２−４内に「６０秒」と表示させるようにしても良い。
【０３４０】
すなわち、延長アイテム２０２−２には、延長アイテム２０２−１に表示されている１５秒に、１５秒が加算された値「３０秒」が表示され、延長アイテム２０２−３には、延長アイテム２０２−２に表示されている３０秒に、１５秒が加算された値「４５秒」が表示され、延長アイテム２０２−４には、延長アイテム２０２−３に表示されている４５秒に、１５秒が加算された値「６０秒」が表示されている。このように、延長アイテム２０２−１乃至２０２−４に、延長時間を順番に加算させた値を表示させても良い。
【０３４１】
これにより、ユーザは、延長することができる合計の時間を容易に把握することができる。なお、この場合も、上記した実施の形態の場合と同様、残り時間が延長される度に、延長アイテムの表示が１個ずつ消去される。
【０３４２】
また、上記のように、延長アイテム２０２−１内に「１５秒」と表示させ、延長アイテム２０２−２内に「３０秒」と表示させ、延長アイテム２０２−３内に「４５秒」と表示させ、延長アイテム２０２−４内に「６０秒」と表示させるようにした場合、例えば、タッチペン４３により、延長アイテム２０２−４「６０秒」がタッチ（選択）された場合、その時点で実行中の処理の残り時間を６０秒延長するようにしても良い。同様に、延長アイテム２０２−３「４５秒」がタッチ（選択）された場合、その時点で実行中の処理の残り時間を４５秒延長し、延長アイテム２０２−２「３０秒」がタッチ（選択）された場合、その時点で実行中の処理の残り時間を３０秒延長するようにし、延長アイテム２０２−１「１５秒」がタッチ（選択）された場合、その時点で実行中の処理の残り時間を１５秒延長するようにしても良い。
【０３４３】
このように、延長アイテム２０２が選択されたとき、延長アイテム２０２内に表示されている時間だけ、実行中の処理の残り時間（制限時間）を延長するようにすることにより、ユーザは、延長させる時間を、１度の操作で選択することができ、操作性が改善される。例えば、先に説明した本実施の形態において、４５秒間、時間を延長する場合、ユーザは、延長ボタン４４、または延長ボタン８８を３回操作しなくてはならなかった。それに対して、延長させたい時間が表示されている延長アイテムを選択できるようにした場合、１回の操作で、「４５秒」と表示された延長アイテムを選択することにより、残り時間を４５秒延長させることができるようになる。
【０３４４】
なお、この場合、選択された延長アイテム２０２に表示されている秒数だけ、実行中の処理の制限時間が延長されると共に、延長可能な時間は減少され、対応して、延長可能回数表示欄２０１に表示される延長アイテム２０２の個数、および延長アイテム２０２内に表示される秒数が変更される。
【０３４５】
すなわち、例えば、延長アイテム２０２−１内に「１５秒」と表示され、延長アイテム２０２−２内に「３０秒」と表示され、延長アイテム２０２−３内に「４５秒」と表示され、延長アイテム２０２−４内に「６０秒」と表示されており、タッチペン４３により、延長アイテム２０２−４「４５秒」がタッチ（選択）された場合、ＣＰＵ１３１は、実行中の処理の残り時間を４５秒延長させると共に、延長可能回数表示欄２０１に、延長アイテム２０２−１（「１５秒」と表示されている延長アイテム）だけを表示させる。
【０３４６】
なお、上記のように、延長アイテム２０２−１乃至２０２−４のそれぞれの中に、異なる秒数（１５秒、３０秒、４５秒、および６０秒）を表示させ、ユーザに所望する時間が表示されている延長アイテムを選択させる場合、撮影用モニタ１６にタッチパネルを積層させ、対応するタッチペンを備えるようにすると良い。
【０３４７】
また、上記のようにして、実行中の処理の残り時間を延長したものの、結果的に、残り時間が余ってしまう場合がある。例えば、残り時間を６０秒延長した後、ユーザが実行中の処理を終了させた時点で残り時間が３０秒以上余ってしまう場合がある。このような場合、余った残り時間を、次の処理の際に、延長可能回数表示欄２０１に表示させる延長アイテム２０２に加算させても良い。すなわち、例えば、撮影処理の残り時間を６０秒延長した場合、延長可能回数表示欄２０１に表示される延長アイテム２０２の個数は０個になる。その後、ユーザが撮影処理を終了させた時点で残り時間が３０秒以上余ってしまった場合、編集処理において、延長可能回数表示欄２０１に、「１５秒」と記された延長アイテム２０２−１、および「３０秒」と記された延長アイテム２０２−２を表示させるようにしても良い。
【０３４８】
また、写真シール自動販売機１に、写真シール自動販売機１が提供するゲーム、すなわち、本実施の形態で説明した顧客応対処理とは異なるゲームのプログラムを保持させ、そのゲームをユーザに実行させ、その得点により、延長アイテム２０２の個数を増減させるようにしてもい。
【０３４９】
すなわち、例えば、シューティングゲーム、またはもぐら叩き、スロットマシーン、またはパチンコを模したテレビゲームのプログラムを、予め記憶部１３６に記憶させておく。そして、ユーザが撮影処理、または編集処理を実行中に、ＣＰＵ１３１は、撮影用モニタ１６、または編集用モニタ４１の所定の位置に、「延長アイテムを増やす？　はい　いいえ」のような案内を表示させる。ユーザが、操作パネル１７、またはタッチペン４３を操作して「はい」を選択した場合、ＣＰＵ１３１は、「ゲームに勝ったら延長アイテムを２倍にするよ。ゲームに負けたら、延長アイテムを半分にするよ。いいかな？　はい　いいえ」のような案内を撮影用モニタ１６、または編集用モニタ４１の所定の位置に表示させる。
【０３５０】
ユーザが、操作パネル１７、またはタッチペン４３を操作して「はい」を選択した場合、ＣＰＵ１３１は、記憶部１３６より、ゲームのプログラムをＲＡＭ１３３にロードし、撮影用モニタ１６、または編集用モニタ４１において、ユーザにそのゲームで遊ばせる。ユーザがゲームで得点した点数が、予め設定された基準値より高い場合、ＣＰＵ１３１は、延長可能回数表示欄２０１に表示させる延長アイテム２０２の個数を、ゲームの前における個数の２倍にさせる。また、ユーザがゲームで得点した点数が、予め設定された基準値より低い場合、ＣＰＵ１３１は、延長可能回数表示欄２０１に表示させる延長アイテム２０２の個数を、ゲームの前における個数の半分にさせる。
【０３５１】
これにより、写真シール自動販売機１に、さらに娯楽性をもたせることができる。なお、上記においては、ユーザがゲームで所定の基準値以上の点数を得点した場合、延長可能回数表示欄２０１に表示させる延長アイテム２０２の個数を、ゲームの前における個数の２倍にさせるようにしたが、２倍にする代わりに、予め設定された所定の個数（例えば、１個）だけ増やすようにしても良い。また、上記においては、ユーザがゲームで所定の基準値以下の点数を得点した場合、延長可能回数表示欄２０１に表示させる延長アイテム２０２の個数を、ゲームの前における個数の半分にさせるようにしたが、半分にする代わりに、予め設定された所定の個数（例えば、１個）だけ減らすようにしたり、延長可能回数表示欄２０１に表示させる延長アイテム２０２の個数を０個にしても良い。
【０３５２】
また、以上に説明した本実施の形態においては、延長可能な回数は、延長可能回数表示欄２０１内に延長アイテム２０２の個数として表示しているが、延長可能な回数は、例えば、「１」、「２」、「３」、および「４」のように、数字で表示するようにしても良い。
【０３５３】
また、本発明の写真シール自動販売機においては、ユーザが延長ボタン４４および延長ボタン８８を１度も操作しない場合、すなわち、１度も残り時間を延長しない場合の、１回のゲームに要する時間（以下、１回のゲームに要する時間をゲーム時間とも称する）を、従来の写真シール自動販売機のゲーム時間より短く設定しておき、延長可能回数分だけ残り時間を延長した場合に、従来の写真シール自動販売機と同様のゲーム時間になるように設定しても良い。このようにすることにより、ユーザが延長ボタン４４および延長ボタン８８を操作した場合、ユーザに、ゲーム時間が延長したように感じさせ、より満足感を感じさせることができる。
【０３５４】
また、例えば、ステップＳ５３の撮影処理、およびステップＳ５５の編集処理の合計の制限時間を設定しておき、ユーザがステップＳ５３の撮影処理の際に、延長ボタン８８を操作する度に、撮影処理の制限時間を延長し、その分、編集処理の時間を減らすようにしても良い。
【０３５５】
すなわち、
編集時間＝（合計の制限時間）−（撮影処理に要した時間）
のようにしても良い。この場合、ユーザは、合計時間に達するまで、撮影処理の制限時間を延長することができる。
【０３５６】
また、上記した本発明の実施の形態においては、ステップＳ５２の撮影モード選択受付処理、ステップＳ５３の撮影処理、ステップＳ５５の編集処理、およびステップＳ５６のシール分割数選択受付処理において、ユーザからの制限時間の延長を受け付ける場合を例にして説明したが、このことは、ユーザからの制限時間の延長を受け付ける処理が、上記した処理に限定されることを意味するものではない。すなわち、上記した処理以外でも、ユーザからの操作を受け付ける全ての処理の制限時間を、上記したようにして制御するようにすることができる。
【０３５７】
また、上記した本発明の実施の形態においては、ユーザが、延長可能な回数だけ、延長ボタン４４および延長ボタン８８を操作した場合、延長可能回数表示欄２０１に表示された延長アイテム２０２の個数を０個にすることにより、ユーザに、これ以上延長することができないことを知らせていた。しかしながら、このようにする代わりに、例えば、延長ボタン４４および延長ボタン８８の近傍に、それぞれ電球を配置しておき、延長可能な場合だけ、その電球を点灯（または点滅）させ、延長不可能な場合、延長ボタン４４および延長ボタン８８の近傍に設置された電球を消灯するようにして、これ以上延長することができないことをユーザに知らせるようにしても良い。
【０３５８】
なお、電球は、延長ボタン４４および延長ボタン８８の近傍に設置させる代わりに、延長ボタン４４および延長ボタン８８に内蔵するようにしても良い。この場合、電球が点灯（または点滅）すると、その電球を内蔵した延長ボタン４４、または延長ボタン８８が点灯（または点滅）する。
【０３５９】
ところで、写真シール自動販売機１の管理者は、写真シール自動販売機１内に装填しているシール紙１２１がなくなりそうになった場合、新しいシール紙ユニット９７に交換することにより、シール紙１２１を補充する。シール紙１２１の補充に際し、写真シール自動販売機１のＣＰＵ１３１は、シール紙ユニット９７に付されている制御タグ１２２を照合することにより、補充されたシール紙が、写真シール自動販売機１に適合したものか否かを判別することができる。次に、図４０のフローチャートを参照して、写真シール自動販売機１のＩＤ検出処理について説明する。
【０３６０】
ステップＳ５０１において、ＣＰＵ１３１は、写真シール自動販売機１の所定の位置に、シール紙ユニット９７が装着されたか否かを監視し、シール紙ユニット９７が装着された場合、ステップＳ５０２に進む。
【０３６１】
ステップＳ５０２において、ＣＰＵ１３１は、制御タグリーダライタ１１２を制御して、シール紙ユニット９７に付されている制御タグ１２２のＩＤを読み取り、供給させる。
【０３６２】
ステップＳ５０３において、ＣＰＵ１３１は、ステップＳ５０２において制御タグリーダライタ１１２より取得したＩＤと、予めＲＯＭ１３２に記憶しているシール紙ＩＤを照合し、両ＩＤが同一であった場合、ステップＳ５０４に進む。ステップＳ５０４において、ＣＰＵ１３１は、記憶部１３６から、写真シール自動販売機１が使用可能である旨のメッセージを含む画面の画像データをＲＡＭ１３３にロードし、撮影用モニタ１６、並びに編集用モニタ４１−１および４１−２のうち、少なくともいずれか１つのモニタにＲＡＭ１３３にロードした画面を表示させる。
【０３６３】
ステップＳ５０５において、ＣＰＵ１３１は、写真シール自動販売機１を通常のゲーム可能な状態（図７のステップＳ５１の状態）に復帰させる。
【０３６４】
ステップＳ５０３において、ＣＰＵ１３１が、制御タグリーダライタ１１２より取得したＩＤと、予めＲＯＭ１３２に記憶しているシール紙ＩＤが一致しないと判定した場合、ＣＰＵ１３１は、ステップＳ５０６に進み、記憶部１３６から、写真シール自動販売機１が使用不可能である旨のメッセージを含む画面の画像データをＲＡＭ１３３にロードし、撮影用モニタ１６、並びに編集用モニタ４１−１および４１−２のうち、少なくともいずれか１つのモニタにＲＡＭ１３３にロードした画面を表示させる。
【０３６５】
そして、ステップＳ５０７において、ＣＰＵ１３１は、写真シール自動販売機１が使用不可能（ゲーム不可能）に設定する。その方法としては、例えば、硬貨投入口１８から硬貨を投入されないように、硬貨投入口１８にシャッタを下ろすことなどが可能である。
【０３６６】
なお、本実施の形態においては、シール紙ユニット９７に制御タグ１２２を付すようにしたが、シール紙ユニット９７に装填されているシール紙１２１の種類を識別することが可能であれば、その他の方法により、シール紙１２１を識別するようにしても構わない。
【０３６７】
例えば、制御タグ１２２の代わりに、バーコード、ＩＣカード等の方法を用いて、シール紙ユニット９７を識別するようにしてもよい。また、シール紙ユニット９７の写真シール自動販売機への装着部分の形状を、写真シール自動販売機の機種毎に異なるものにし、適合するシール紙ユニット９７だけ、写真シール自動販売機１に装着可能なようにしても良い。
【０３６８】
また、シール紙１２１とシール紙ユニット９７を分離可能に構成することも可能であり、また、一体的に構成することも可能である。
【０３６９】
以上において、印刷媒体はシール紙として説明したが、シール紙に限られるものではなく、例えば、所定のサイズの紙や、ポスター用の紙などに印刷するようにしてもよい。また、撮影した画像データを、ユーザが自ら用意したフロッピディスクなどの記録媒体に記録させることができるようにしてもよい。
【０３７０】
上述した一連の処理は、ハードウエアにより実行させることもできるが、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０３７１】
この記録媒体は、図７に示されるように、装置本体とは別に、ユーザにプログラムを提供するために配布される、プログラムが記録されている磁気ディスク１５１（フレキシブルディスクを含む）、光ディスク１５２（ＣＤ−ＲＯＭ（Ｃｏｍｐａｃｔ　Ｄｉｓｋ−Ｒｅａｄ　Ｏｎｌｙ　Ｍｅｍｏｒｙ），ＤＶＤ（Ｄｉｇｉｔａｌ　Ｖｅｒｓａｔｉｌｅ　Ｄｉｓｋ）を含む）、光磁気ディスク１５３（ＭＤ（Ｍｉｎｉ−Ｄｉｓｋ）を含む）、もしくは半導体メモリ１５４などよりなるパッケージメディアにより構成されるだけでなく、装置本体に予め組み込まれた状態でユーザに提供される、プログラムが記録されているＲＯＭ１３２や、記憶部１３６に含まれるハードディスクなどで構成される。
【０３７２】
なお、本明細書において、システムとは、複数の装置により構成される装置全体を表すものである。
【０３７３】
【発明の効果】
以上のように、第１の本発明によれば、ユーザは、制限時間内で、写真シールを作成することができる。
【０３７４】
また、第１の本発明によれば、ユーザは、遊戯全体の中における種種の操作の時間配分を、コントロールすることができる。また、例えば初めてゲームを行うユーザのような、写真シール自動販売機の操作手順に慣れていないユーザにも、充分に操作手順を理解させて、遊戯を進行させることが可能となる。
【０３７５】
また、第１の本発明によれば、写真シール自動販売機に備えられた機能（例えば、多彩な落書き機能）を、ユーザに充分に活用させて遊戯をさせることが可能となる。
【０３７６】
また、第１の本発明によれば、ユーザが、代金を支払った後、一旦、撮影モードを選択した後に、撮影処理の制限時間、および編集処理の制限時間を変更することが可能となる。
【０３７７】
第２の本発明によれば、ユーザは、制限時間内で、写真シールを作成することができる。
【０３７８】
また、第２の本発明によれば、ユーザは、撮影回数および編集操作の制限時間を、コントロールすることができる。また、例えば初めてゲームを行うユーザのような、写真シール自動販売機の操作手順に慣れていないユーザにも、充分に操作手順を理解させて、遊戯を進行させることが可能となる。
【０３７９】
また、第２の本発明によれば、写真シール自動販売機に備えられた機能（例えば、多彩な落書き機能）を、ユーザに充分に活用させて遊戯をさせることが可能となる。
【０３８０】
また、第２の本発明によれば、ユーザが、代金を支払った後、一旦、撮影モードを選択した後に、撮影回数、および編集処理の制限時間を変更することが可能となる。
【図面の簡単な説明】
【図１】本発明を適用した写真シール自動販売機の外観の例を示す斜視図である。
【図２】本発明を適用した写真シール自動販売機の他の外観の例を示す斜視図である。
【図３】図１の写真シール自動販売機の配置の例を示す図である。
【図４】図１の写真シール自動販売機の配置の例を上方から示す図である。
【図５】操作パネル上のボタン配置の例を示す図である。
【図６】図１の写真シール自動販売機の内部構成の例を示すブロック図である。
【図７】図６の制御装置の構成例を示すブロック図である。
【図８】写真シール自動販売機の顧客応対処理を説明するフローチャートである。
【図９】撮影用モニタの表示例を示す図である。
【図１０】撮影用モニタの表示例を示す他の図である。
【図１１】撮影用モニタの表示例を示すさらに他の図である。
【図１２】撮影用モニタの表示例を示す図である。
【図１３】撮影用モニタの表示例を示す他の図である。
【図１４】撮影用モニタの表示例を示すさらに他の図である。
【図１５】撮影用モニタの表示例を示す図である。
【図１６】撮影用モニタの表示例を示す他の図である。
【図１７】撮影用モニタの表示例を示すさらに他の図である。
【図１８】編集用モニタの表示例を示す図である。
【図１９】編集用モニタの表示例を示す他の図である。
【図２０】写真シール自動販売機の時間制御処理を説明するフローチャートである。
【図２１】図２０のステップＳ２０１の処理を詳細に説明するフローチャートである。
【図２２】図２０のステップＳ２０２の処理を詳細に説明するフローチャートである。
【図２３】図２０のステップＳ２０３の処理を詳細に説明するフローチャートである。
【図２４】図２０のステップＳ２０４の処理を詳細に説明するフローチャートである。
【図２５】写真シール自動販売機の延長可能回数制御処理を説明するフローチャートである。
【図２６】撮影用モニタの表示例を示す図である。
【図２７】編集用モニタの表示例を示す図である。
【図２８】写真シール自動販売機の余り時間制御処理を説明するフローチャートである。
【図２９】写真シール自動販売機の延長可能回数制御処理を説明するフローチャートである。
【図３０】写真シール自動販売機の延長可能回数制御処理を説明する図２９に続くフローチャートである。
【図３１】撮影用モニタの表示例を示す図である。
【図３２】撮影用モニタの表示例を示す他の図である。
【図３３】撮影用モニタの表示例を示すさらに他の図である。
【図３４】撮影用モニタの表示例を示す図である。
【図３５】撮影用モニタの表示例を示す他の図である。
【図３６】撮影用モニタの表示例を示すさらに他の図である。
【図３７】編集用モニタの表示例を示す図である。
【図３８】編集用モニタの表示例を示す他の図である。
【図３９】図１の写真シール自動販売機の配置の例を上方から示す、図４とは異なる図である。
【図４０】写真シール自動販売機のＩＤ検出処理を説明するフローチャートである。
【符号の説明】
１　写真シール自動販売機
１２　撮影装置
１６　撮影用モニタ
１７　操作パネル
１８　硬貨投入口
４１−１，４１−２　編集用モニタ
４３−１，４３−２　タッチペン
４４　延長ボタン
４５　硬貨投入口
８７　撮影終了ボタン
８８　延長ボタン
９１　制御装置
９２　硬貨処理部
９７　シール紙ユニット
１３１　ＣＰＵ
１３３　ＲＡＭ
１３６　記憶部
２０１　延長可能回数表示欄
２０２　延長アイテム
２０３　残り時間表示欄
【図１】
2004048374.tif 000003
【図２】
2004048374.tif 000004
【図３】
2004048374.tif 000005
【図４】
2004048374.tif 000006
【図５】
2004048374.tif 000007
【図６】
2004048374.tif 000008
【図７】
2004048374.tif 000009
【図８】
2004048374.tif 000010
【図９】
2004048374.tif 000011
【図１０】
2004048374.tif 000012
【図１１】
2004048374.tif 000013
【図１２】
2004048374.tif 000014
【図１３】
2004048374.tif 000015
【図１４】
2004048374.tif 000016
【図１５】
2004048374.tif 000017
【図１６】
2004048374.tif 000018
【図１７】
2004048374.tif 000019
【図１８】
2004048374.tif 000020
【図１９】
2004048374.tif 000021
【図２０】
2004048374.tif 000022
【図２１】
2004048374.tif 000023
【図２２】
2004048374.tif 000024
【図２３】
2004048374.tif 000025
【図２４】
2004048374.tif 000026
【図２５】
2004048374.tif 000027
【図２６】
2004048374.tif 000028
【図２７】
2004048374.tif 000029
【図２８】
2004048374.tif 000030
【図２９】
2004048374.tif 000031
【図３０】
2004048374.tif 000032
【図３１】
2004048374.tif 000033
【図３２】
2004048374.tif 000034
【図３３】
2004048374.tif 000035
【図３４】
2004048374.tif 000036
【図３５】
2004048374.tif 000037
【図３６】
2004048374.tif 000038
【図３７】
2004048374.tif 000039
【図３８】
2004048374.tif 000040
【図３９】
2004048374.tif 000041
【図４０】
2004048374.tif 000042